(57)【要約】  レンズ駆動装置（１０１）は、レンズ保持部材（２）と、レンズ保持部材（２）に保持されたコイル（３）と、コイル（３）及びレンズ保持部材（２）を挟んで互いに対向する第１磁界発生部材（５Ａ）及び第２磁界発生部材（５Ｂ）と、レンズ保持部材（２）に保持された検出用磁石（８）と、検出用磁石（８）に対向するように配置された磁気検出部材（１１）と、レンズ体の光軸（ＪＤ）を挟んで検出用磁石（８）と対向する位置においてレンズ保持部材（２）に保持されるバランス用磁石（９）とを備えている。検出用磁石（８）は、第２磁界発生部材（５Ｂ）よりも第１磁界発生部材（５Ａ）に近い位置に配置され、バランス用磁石（９）は、第１磁界発生部材（５Ａ）よりも第２磁界発生部材（５Ｂ）に近い位置に配置されている。
2020122126.tif 000002
【特許請求の範囲】
【請求項１】
互いに対向する第１側板部及び第２側板部を含む外周壁部と上板部とを有する筐体と、
前記筐体内に位置してレンズ体を保持可能なレンズ保持部材と、
前記レンズ保持部材に保持されたコイルと、
前記コイル及び前記レンズ保持部材を挟んで互いに対向する第１磁界発生部材及び第２磁界発生部材と、
前記レンズ保持部材に保持された、前記レンズ保持部材の位置を検出するための検出用磁石と、
前記検出用磁石に対向するように配置された磁気検出部材と、
前記レンズ体の光軸を挟んで前記検出用磁石と対向する位置において前記レンズ保持部材に保持されるバランス用磁石と、
前記レンズ保持部材を光軸方向へ移動可能に支持するとともに、前記コイルを構成する線材の一端部及び他端部にそれぞれ導通する第１板ばね及び第２板ばねと、
を備えたレンズ駆動装置であって、
前記検出用磁石は、前記第２磁界発生部材よりも前記第１磁界発生部材に近い位置に配置され、
前記バランス用磁石は、前記第１磁界発生部材よりも前記第２磁界発生部材に近い位置に配置されていることを特徴とするレンズ駆動装置。
【請求項２】
前記第１磁界発生部材は、前記レンズ保持部材と対向する内側に第１内側部分を有し、
前記第２磁界発生部材は、前記レンズ保持部材と対向する内側に第２内側部分を有し、
前記検出用磁石は、光軸方向と直交する方向において前記第１磁界発生部材に対応するように配置されるとともに、光軸方向の一方側である第５部分と他方側である第６部分とが異なる磁極を有し、
前記バランス用磁石は、光軸方向と直交する方向において前記第２磁界発生部材に対応するように配置されるとともに、光軸方向の一方側である第７部分と他方側である第８部分とが異なる磁極を有し、
前記第１内側部分と前記第５部分との間、及び、前記第２内側部分と前記第７部分との間には引力が作用し、或いは、
前記第１内側部分と前記第５部分との間、及び、前記第２内側部分と前記第７部分との間には斥力が作用する、
請求項１に記載のレンズ駆動装置。
【請求項３】
前記第１磁界発生部材は、前記レンズ保持部材と対向する内側において、光軸方向の一方側である前記第１内側部分と他方側である第３内側部分とを有し、
前記第２磁界発生部材は、前記レンズ保持部材と対向する内側において、光軸方向の一方側である前記第２内側部分と他方側である第４内側部分とを有し、
前記第１内側部分と前記第３内側部分とが異なる磁極を有し、
前記第２内側部分と前記第４内側部分とが異なる磁極を有し、
前記第１内側部分と前記第５部分との間、前記第３内側部分と前記第６部分との間、前記第２内側部分と前記第７部分との間、及び、前記第４内側部分と前記第８部分との間には引力が作用し、或いは、
前記第１内側部分と前記第５部分との間、前記第３内側部分と前記第６部分との間、前記第２内側部分と前記第７部分との間、及び、前記第４内側部分と前記第８部分との間には斥力が作用する、
請求項２に記載のレンズ駆動装置。
【請求項４】
前記コイルは、前記レンズ保持部材の互いに対向する２つの外側面に配置され、光軸方向と直交する方向に突出する巻き付け突起の周囲に巻回された２つの巻回部を有し、
前記巻回部のうちの一方は、前記第１磁界発生部材に対向し、他方は前記第２磁界発生部材に対向し、
前記第１磁界発生部材は、光軸方向と直交する方向において前記第１内側部分の外側に配置される第１外側部分と、光軸方向と直交する方向において前記第３内側部分の外側に配置される第３外側部分と、を有し、
前記第２磁界発生部材は、光軸方向と直交する方向において前記第２内側部分の外側に配置される第２外側部分と、光軸方向と直交する方向において前記第４内側部分の外側に配置される第４外側部分と、を有し、
前記第１内側部分と前記第１外側部分は、第１磁石で構成され、異なる磁極を有し、
前記第２内側部分と前記第２外側部分は、第２磁石で構成され、異なる磁極を有し、
前記第３内側部分と前記第３外側部分は、第３磁石で構成され、異なる磁極を有し、
前記第４内側部分と前記第４外側部分は、第４磁石で構成され、異なる磁極を有する、
請求項３に記載のレンズ駆動装置。
【請求項５】
前記検出用磁石と前記第１磁界発生部材との間に引力が作用しているとともに、前記バランス用磁石と前記第２磁界発生部材との間に引力が作用している、
請求項２乃至４の何れかに記載のレンズ駆動装置。
【請求項６】
前記第１内側部分の磁極と前記第２内側部分の磁極が互いに異極であり、前記第５部分の磁極と前記第７部分の磁極とが互いに異極である、
請求項５に記載のレンズ駆動装置。
【請求項７】
光軸方向において、前記検出用磁石は、前記第１磁界発生部材の一端と他端との間に配置されており、且つ、前記バランス用磁石は、前記第２磁界発生部材の一端と他端との間に配置されている、
請求項２乃至６の何れかに記載のレンズ駆動装置。
【請求項８】
前記コイルは、該コイルの一端部を構成する第１延在部と他端部を構成する第２延在部とを有し、
前記レンズ保持部材は、前記第１延在部を保持する第１保持部と前記第２延在部を保持する第２保持部とを有し、
前記第１延在部は、前記第１板ばねに第１接合材で接続され、前記第２延在部は、前記第２板ばねに第２接合材で接続され、
前記第１磁界発生部材は、前記第１側板部に固定され、
前記第２磁界発生部材は、前記第２側板部に固定され、
前記検出用磁石は、前記第１側板部及び前記第２側板部と略平行で且つ光軸を通る光軸に略垂直な第１仮想線を挟んで前記第２保持部及び前記第２接合材が位置する側の反対側に配置され、且つ、前記第１仮想線と直交し且つ光軸を通る光軸に略垂直な第２仮想線を挟んで前記第１保持部及び前記第１接合材が位置する側の反対側に配置され、
前記バランス用磁石は、前記第１仮想線を挟んで前記第１保持部及び前記第１接合材が位置する側の反対側に配置され、且つ、前記第２仮想線を挟んで前記第２保持部及び前記第２接合材が位置する側の反対側に配置されている、
請求項１乃至７の何れかに記載のレンズ駆動装置。
【請求項９】
前記筐体は、前記外周壁部及び前記上板部が形成されたカバー部材と、前記上板部に対向するベース部材とを備え、
前記ベース部材には、前記第１板ばねを介して前記コイルの一端部に電気的に接続される第１金属部材と、前記第２板ばねを介して前記コイルの他端部に電気的に接続される第２金属部材とが埋設され、
前記ベース部材の外周側面から露出する前記第１金属部材の接続部は、前記磁気検出部材が搭載された基板に形成された２つの導電部のうちの一方である第１導電部に対向した状態で該第１導電部に導電性接合材によって接続されており、
前記ベース部材の外周側面から露出する前記第２金属部材の接続部は、前記２つの導電部のうちの他方である第２導電部に対向した状態で該第２導電部に導電性接合材によって接続されている、
請求項１乃至８の何れかに記載のレンズ駆動装置。
【請求項１０】
前記カバー部材の前記外周壁部は、前記第１側板部及び前記第２側板部と略垂直な互いに対向する第３側板部及び第４側板部を有し、
前記カバー部材の前記上板部には、枠状部を有するスペーサ部材が配置され、
前記枠状部における、前記第４側板部と対向する部分には、前記基板と係合可能な係合部と、前記上板部から離れるにつれて前記第４側板部との間隔が大きくなるテーパ部とが形成され、
前記基板は、前記係合部によって位置決めされるとともに、前記第４側板部と前記テーパ部との間に挟まれた状態で、前記第４側板部に固定されている、
請求項９に記載のレンズ駆動装置。
【請求項１１】
前記枠状部における、前記第１側板部に対向する部分には、互いに離間した一対の第１突出部が前記上板部から離れる方向へ突出するように形成されており、
前記枠状部における、前記第２側板部に対向する部分には、互いに離間した一対の第２突出部が前記上板部から離れる方向へ突出するように形成されており、
前記一対の第１突出部の間には、前記第１磁界発生部材が配置され、
前記一対の第２突出部の間には、前記第２磁界発生部材が配置されている、
請求項１０に記載のレンズ駆動装置。
【請求項１２】
請求項１乃至１１の何れかに記載のレンズ駆動装置と、
前記レンズ体と、
前記レンズ体に対向する撮像素子と、を有する、
カメラモジュール。
【発明の詳細な説明】
【技術分野】
【０００１】
本開示は、例えばカメラ付き携帯機器等に搭載されるレンズ駆動装置、及び、レンズ駆動装置を含むカメラモジュールに関する。
【背景技術】
【０００２】
従来、ヨークと、レンズ保持部材と、レンズ保持部材の外周に配置されるコイルと、コイルに対向するようにヨークに取り付けられた一対の平板状磁石とを含むレンズ駆動装置が知られている（特許文献１参照。）。この装置では、レンズ保持部材は、導電性の板ばねによって光軸方向に移動可能に保持されている。また、レンズ保持部材は、レンズ保持部材の位置を検出するための検出用磁石を備えている。レンズ保持部材の位置は、検出用磁石に対向するように固定側部材に取り付けられたホール素子の出力に基づいて導き出される。導き出されたレンズ保持部材の位置は、駆動電流のフィードバック制御に利用される。
【先行技術文献】
【特許文献】
【０００３】
【特許文献１】特開２０１６−０１７９７７号公報
【発明の概要】
【発明が解決しようとする課題】
【０００４】
しかしながら、上述のレンズ駆動装置では、検出用磁石は、一対の平板状磁石のそれぞれとの磁気干渉を避けるため、一対の平板状磁石のそれぞれから最も遠い位置、すなわち、２つの平板状磁石の中間位置に配置されている。そのため、上述のレンズ駆動装置は、検出用磁石の配置自由度を制限してしまい、ひいては、レンズ駆動装置の設計自由度を制限してしまっている。【０００５】
そこで、設計自由度を高めることができるレンズ駆動装置を提供することが望まれる。
【課題を解決するための手段】
【０００６】
本発明の実施形態に係るレンズ駆動装置は、互いに対向する第１側板部及び第２側板部を含む外周壁部と上板部とを有する筐体と、前記筐体内に位置してレンズ体を保持可能なレンズ保持部材と、前記レンズ保持部材に保持されたコイルと、前記コイル及び前記レンズ保持部材を挟んで互いに対向する第１磁界発生部材及び第２磁界発生部材と、前記レンズ保持部材に保持された、前記レンズ保持部材の位置を検出するための検出用磁石と、前記検出用磁石に対向するように配置された磁気検出部材と、前記レンズ体の光軸を挟んで前記検出用磁石と対向する位置において前記レンズ保持部材に保持されるバランス用磁石と、前記レンズ保持部材を光軸方向へ移動可能に支持するとともに、前記コイルを構成する線材の一端部及び他端部にそれぞれ導通する第１板ばね及び第２板ばねとを備えたレンズ駆動装置であって、前記検出用磁石は、前記第２磁界発生部材よりも前記第１磁界発生部材に近い位置に配置され、前記バランス用磁石は、前記第１磁界発生部材よりも前記第２磁界発生部材に近い位置に配置されている。
【発明の効果】
【０００７】
上述の手段により、設計自由度を高めたレンズ駆動装置が提供される。
【図面の簡単な説明】
【０００８】
【図１】レンズ駆動装置の分解斜視図である。
【図２Ａ】レンズ駆動装置の上方斜視図である。
【図２Ｂ】レンズ駆動装置の正面図である。
【図３Ａ】レンズ駆動装置の上面図である。
【図３Ｂ】レンズ駆動装置の底面図である。
【図４Ａ】ヨークが省略された状態にあるレンズ駆動装置の上方斜視図である。
【図４Ｂ】スペーサ部材及びヨークが省略された状態にあるレンズ駆動装置の上方斜視図である。
【図５Ａ】レンズ保持部材の上方斜視図である。
【図５Ｂ】コイルが巻き付けられたレンズ保持部材の上方斜視図である。
【図６Ａ】レンズ保持部材の下方斜視図である。
【図６Ｂ】コイルが巻き付けられたレンズ保持部材の下方斜視図である。
【図７Ａ】レンズ保持部材の上面図である。
【図７Ｂ】コイルが巻き付けられたレンズ保持部材の上面図である。
【図８Ａ】レンズ保持部材の底面図である。
【図８Ｂ】コイルが巻き付けられたレンズ保持部材の底面図である。
【図９Ａ】レンズ保持部材の一部の拡大斜視図である。
【図９Ｂ】レンズ保持部材の別の一部の拡大斜視図である。
【図１０Ａ】金属部材及びベース部材が省略された状態にあるレンズ駆動装置の底面図である。
【図１０Ｂ】金属部材、ベース部材、スペーサ部材、ヨーク、上側板ばね、及び下側板ばねが省略された状態にあるレンズ駆動装置の底面図である。
【図１１Ａ】上側板ばねの上面図である。
【図１１Ｂ】下側板ばねの上面図である。
【図１２Ａ】コイル及び下側板ばねが取り付けられたレンズ保持部材の一部の底面図である。
【図１２Ｂ】コイル及び下側板ばねが取り付けられたレンズ保持部材の一部の側面図である。
【図１３】レンズ駆動装置のベース部材の分解斜視図及び完成斜視図である。
【図１４Ａ】フレキシブルプリント基板の内側に配置される内側パターン層を示す図である。
【図１４Ｂ】フレキシブルプリント基板の外側に配置される外側パターン層を示す図である。
【図１５Ａ】フレキシブルプリント基板の斜視図である。
【図１５Ｂ】金属部材及びフレキシブルプリント基板の斜視図である。
【図１５Ｃ】金属部材、フレキシブルプリント基板、及び下側板ばねの斜視図である。
【図１５Ｄ】コイル、金属部材、フレキシブルプリント基板、及び下側板ばねの斜視図である。
【図１６Ａ】コイル、磁界発生部材、検出用磁石、バランス用磁石、及び磁気検出部材の配置の一例を示す、駆動機構の上面図である。
【図１６Ｂ】図１６Ａに示す駆動機構の背面図である。
【図１６Ｃ】図１６Ａに示す駆動機構の右側面図である。
【図１６Ｄ】図１６Ａに示す駆動機構の左側面図である。
【図１７Ａ】コイル、磁界発生部材、検出用磁石、バランス用磁石、及び磁気検出部材の配置の別の一例を示す、駆動機構の上面図である。
【図１７Ｂ】図１７Ａに示す駆動機構の背面図である。
【図１７Ｃ】図１７Ａに示す駆動機構の右側面図である。
【図１７Ｄ】図１７Ａに示す駆動機構の左側面図である。
【図１８Ａ】コイル、磁界発生部材、検出用磁石、バランス用磁石、及び磁気検出部材の配置の更に別の一例を示す、駆動機構の上面図である。
【図１８Ｂ】図１８Ａに示す駆動機構の背面図である。
【図１８Ｃ】図１８Ａに示す駆動機構の右側面図である。
【図１８Ｄ】図１８Ａに示す駆動機構の左側面図である。
【図１９】スペーサ部材、磁界発生部材、及びフレキシブルプリント基板の斜視図である。
【図２０Ａ】スペーサ部材、ヨーク、及びフレキシブルプリント基板の断面図である。
【図２０Ｂ】スペーサ部材、ヨーク、及びフレキシブルプリント基板の断面図である。
【発明を実施するための形態】
【０００９】
以下、本発明の実施形態に係るレンズ駆動装置１０１について図面を参照して説明する。図１は、レンズ駆動装置１０１の分解斜視図である。図２Ａは、レンズ駆動装置１０１の上方斜視図であり、図２Ｂは、Ｙ２側から見たレンズ駆動装置１０１の正面図である。図３Ａは、レンズ駆動装置１０１の上面図であり、図３Ｂは、レンズ駆動装置１０１の底面図である。図４Ａは、ヨーク４を取り外した状態のレンズ駆動装置１０１の上方斜視図であり、図４Ｂは、スペーサ部材１及びヨーク４を取り外した状態のレンズ駆動装置１０１の上方斜視図である。図４Ａ及び図４Ｂは何れも図２Ａに対応している。
【００１０】
レンズ駆動装置１０１は、図１に示すように、レンズ体（図示せず。）を保持可能なレンズ保持部材２と、レンズ保持部材２をレンズ体に関する光軸方向（Ｚ軸方向）に沿って移動させる駆動機構ＭＫと、レンズ保持部材２を光軸方向に移動可能に支持する板ばね６と、板ばね６が固定される固定側部材ＲＧと、電気的な接続をもたらす金属部材７とを含む。レンズ体は、例えば、少なくとも１枚のレンズを備えた筒状のレンズバレルであり、その中心軸線が光軸方向に沿うように構成されている。光軸方向は、レンズ体に関する光軸ＪＤの方向、及び、光軸ＪＤに平行な方向を含む。
【００１１】
駆動機構ＭＫは、図１に示すように、上面視で略矩形の外形を有するレンズ保持部材２の４つの側面のうちの対向する２つに保持される２つのオーバル形状の巻回部１３を有するコイル３と、矩形箱状の外側ケースを兼ねたヨーク４と、径方向（光軸方向に垂直な方向）においてコイル３と対向して配置された磁界発生部材５と、レンズ保持部材２に取り付けられた検出用磁石８及びバランス用磁石９と、フレキシブルプリント基板１０に取り付けられた磁気検出部材１１とを含む。
【００１２】
検出用磁石８は、レンズ保持部材２の位置を検出するためにレンズ保持部材２に取り付けられる二極磁石である。バランス用磁石９は、検出用磁石８の重量がレンズ保持部材２に及ぼす影響を相殺するためにレンズ保持部材２に取り付けられる二極磁石であり、検出用磁石８と同じ重量を有する。本実施形態では、検出用磁石８は、その着磁方向がバランス用磁石９の着磁方向と上下で逆となるように配置されている。また、検出用磁石８及びバランス用磁石９は何れも、接着剤でレンズ保持部材２に固定されている。
【００１３】
磁気検出部材１１は、検出用磁石８が発生させる磁界を検出するホール素子と、コイル３に流れる電流を制御する電流制御回路が内蔵されたドライバＩＣとを含む。本実施形態では、磁気検出部材１１は、少なくともホール素子とドライバＩＣを構成するチップとが１つのパッケージに収められた電子部品によって構成されている。
【００１４】
ヨーク４は、駆動機構ＭＫの一部を構成している。本実施形態では、ヨーク４は、鉄等の軟磁性体材料で形成された板材に抜き加工及び絞り加工を施して作製される。但し、ヨーク４は、オーステナイト系ステンレス鋼等の非磁性体で形成されたカバーで置き換えられてもよい。
【００１５】
具体的には、ヨーク４は、図１に示すように、収納部４ｓを定める箱状の外形を有する。そして、ヨーク４は、矩形筒状の外周壁部４Ａと、外周壁部４Ａの上端（Ｚ１側の端）と連続するように設けられた平板環状の上板部４Ｂとを有する。上板部４Ｂには、開口が形成されている。
【００１６】
外周壁部４Ａは、第１側板部４Ａ１〜第４側板部４Ａ４を含む。第１側板部４Ａ１及び第２側板部４Ａ２は互いに対向し、第３側板部４Ａ３及び第４側板部４Ａ４は互いに対向している。また、本実施形態では、第１側板部４Ａ１及び第２側板部４Ａ２は、第３側板部４Ａ３及び第４側板部４Ａ４のそれぞれに対して垂直である。
【００１７】
検出用磁石８は、上面視で略矩形の外形を有するレンズ保持部材２の角部の１つの上部側（Ｚ１側）に配置されている。具体的には、検出用磁石８は、レンズ保持部材２の４つの辺部のうちの、第１側板部４Ａ１に対向する辺部と第４側板部４Ａ４に対向する辺部との間にある角部の上部側で、第１側板部４Ａ１よりも第４側板部４Ａ４に近い位置に形成された凹部内に嵌め込まれている。
【００１８】
バランス用磁石９は、レンズ保持部材２の角部の別の１つの上部側に配置されている。具体的には、バランス用磁石９は、レンズ保持部材２の４つの辺部のうちの、第２側板部４Ａ２に対向する辺部と第３側板部４Ａ３に対向する辺部との間にある角部の上部側で、第２側板部４Ａ２よりも第３側板部４Ａ３に近い位置に形成された凹部内に嵌め込まれている。
【００１９】
このように構成されたヨーク４は、コイル３及び磁界発生部材５を収納部４ｓ内に収容し、且つ、図２Ａに示すように、ベース部材１８に結合されてベース部材１８とともに筐体を構成する。ベース部材１８は、光軸方向において、カバー部材であるヨーク４の上板部４Ｂに対向している。
【００２０】
磁界発生部材５は、駆動機構ＭＫの一部を構成している。本実施形態では、磁界発生部材５は、第１側板部４Ａ１に対向するように配置される第１磁界発生部材５Ａと、第２側板部４Ａ２に対向するように配置される第２磁界発生部材５Ｂとを含む。
【００２１】
第１磁界発生部材５Ａは、２つの二極磁石の組み合わせで構成されている。但し、第１磁界発生部材５Ａは、１つの二極磁石で構成されていてもよく、１つの四極磁石で構成されていてもよい。第２磁界発生部材５Ｂについても同様である。
【００２２】
具体的には、第１磁界発生部材５Ａは、図１に示すように、第１上側磁石５ＡＵ及び第１下側磁石５ＡＬを含む。また、第２磁界発生部材５Ｂは、第２上側磁石５ＢＵ及び第２下側磁石５ＢＬを含む。
【００２３】
第１上側磁石５ＡＵ、第１下側磁石５ＡＬ、第２上側磁石５ＢＵ、及び第２下側磁石５ＢＬは何れも略直方体形状をなしている。そして、磁界発生部材５は、コイル３（巻回部１３）の外側に位置するとともに、ヨーク４の外周壁部４Ａの２辺に沿うように配置されている。また、磁界発生部材５は、接着剤により、外周壁部４Ａの内面に固定されている。
【００２４】
板ばね６は、レンズ保持部材２とヨーク４（スペーサ部材１）との間に配置される上側板ばね１６と、レンズ保持部材２とベース部材１８との間に配置される下側板ばね２６とを含む。下側板ばね２６は、下側板ばね２６Ａ及び下側板ばね２６Ｂを含む。
【００２５】
固定側部材ＲＧは、スペーサ部材１と、ヨーク４と、金属部材７が埋め込まれたベース部材１８とを含む。
【００２６】
スペーサ部材１は、レンズ保持部材２がＺ１方向に移動したときにレンズ保持部材２とヨーク４とが衝突するのを防止できるように配置されている。
【００２７】
レンズ駆動装置１０１は、略直方体形状を有し、撮像素子（図示せず。）を実装した基板（図示せず。）の上に取り付けられる。基板と、レンズ駆動装置１０１と、レンズ保持部材２に装着されたレンズ体と、レンズ体に対向するように基板に実装された撮像素子とはカメラモジュールを構成する。コイル３は、下側板ばね２６、金属部材７、及びフレキシブルプリント基板１０を介して磁気検出部材１１に接続される。磁気検出部材１１に備えられた電流制御回路（ドライバＩＣ）からコイル３に電流が流れると、駆動機構ＭＫは、光軸方向に沿った電磁力を発生させる。
【００２８】
レンズ駆動装置１０１は、この電磁力を利用し、撮像素子のＺ１側（被写体側）で、光軸方向に沿ってレンズ保持部材２を移動させることで自動焦点調節機能を実現する。具体的には、レンズ駆動装置１０１は、撮像素子から離れる方向にレンズ保持部材２を移動させてマクロ撮影を可能にし、撮像素子に近づく方向にレンズ保持部材２を移動させて無限遠撮影を可能にしている。
【００２９】
次に、レンズ保持部材２と駆動機構ＭＫについて説明する。図５Ａは、レンズ保持部材２の上方斜視図であり、図５Ｂは、図５Ａのレンズ保持部材２にコイル３が巻かれた状態を示す。図６Ａは、レンズ保持部材２の下方斜視図であり、図６Ｂは、図６Ａのレンズ保持部材２にコイル３が巻かれた状態を示す。図７Ａは、レンズ保持部材２の上面図であり、図７Ｂは、図７Ａのレンズ保持部材２にコイル３が巻かれた状態を示す。図８Ａは、レンズ保持部材２の底面図であり、図８Ｂは、図８Ａに示すレンズ保持部材２にコイル３が巻かれた状態を示す。図９Ａは、図８Ｂに示す部分Ｐの拡大斜視図であり、図９Ｂは、図８Ｂに示す部分Ｑの拡大斜視図である。図１０Ａは、金属部材７及びベース部材１８の図示が省略された状態のレンズ駆動装置１０１の底面図であり、図１０Ｂは、更に、スペーサ部材１、ヨーク４、上側板ばね１６、及び下側板ばね２６の図示が省略された状態のレンズ駆動装置１０１の底面図である。
【００３０】
本実施形態では、レンズ保持部材２は、液晶ポリマー（ＬＣＰ）等の合成樹脂を射出成形することで作製されている。具体的には、レンズ保持部材２は、図５Ａに示すように、光軸方向に沿って延びる貫通孔が形成された筒状部１２を含む。
【００３１】
筒状部１２には、レンズ体が装着されるように、円筒状の内周面にねじ溝が設けられている。また、筒状部１２には、被写体側の端面に４つの窪み１２ｄｈを有した台座部１２ｄが設けられている。台座部１２ｄには、図４Ａに示すように、上側板ばね１６の内側部分１６ｉが載置される。
【００３２】
筒状部１２の外周面には、図５Ａに示すように、コイル３を保持する巻き付け突起１２ｐが設けられている。本実施形態では、巻き付け突起１２ｐは、光軸方向に垂直な軸の周囲にコイル３が巻き付けられるよう、筒状部１２の外周面から径方向外側に突出する略直方体形状をなしている。具体的には、巻き付け突起１２ｐは、レンズ保持部材２の互いに対向する２つの外側面に配置されている。
【００３３】
コイル３は、図５Ｂに示すように、巻き付け突起１２ｐに導電性の線材を巻回して形成されている。具体的には、コイル３は、図６Ｂに示すように、第１側板部４Ａ１と対向するように配置される第１コイル３Ａと、第２側板部４Ａ２と対向するように配置される第２コイル３Ｂと、第１コイル３Ａと第２コイル３Ｂとを繋ぐ連結部３Ｃとを含む。そして、巻き付け突起１２ｐは、第１コイル３Ａが巻き付けられる第１巻き付け突起１２ｐＡと、第２コイル３Ｂが巻き付けられる第２巻き付け突起１２ｐＢとを含む。本実施形態では、コイル３は、接着剤を用いずに巻き付け突起１２ｐに固定されているが、接着剤を用いて巻き付け突起１２ｐに固定されてもよい。また、コイル３の巻き方向は、任意であり、磁界発生部材５の配置（着磁方向）に応じて決定される。
【００３４】
第１コイル３Ａは、第１巻き付け突起１２ｐＡの周囲に環状に巻かれて形成されたコイル本体部としての巻回部１３を含み、第２コイル３Ｂは、第２巻き付け突起１２ｐＢの周囲に環状に巻かれて形成されたコイル本体部としての巻回部１３を含む。図５Ｂは、明瞭化のため、巻回部１３に関しては、絶縁部材で表面を被覆された導電性の線材の詳細な巻回状態の図示を省略している。巻回部１３を図示する他の図についても同様である。
【００３５】
レンズ保持部材２は、図６Ａに示すように、撮像素子側（Ｚ２側）の端面から下方（Ｚ２方向）に突出した、角形凸状の突出部としての２つの保持部７２と、丸形凸状の４つの突設部２ｔとを含む。
【００３６】
保持部７２は、図６Ｂに示すように、コイル３の巻き始め側に対応する第１保持部７２Ａと、コイル３の巻き終わり側に対応する第２保持部７２Ｂとを含む。コイル３の両端は、保持部７２に巻き付けられて保持されている。
【００３７】
突設部２ｔは、図６Ａ及び図１０Ａに示すように、下側板ばね２６Ａに対応する２つの突設部２ｔと、下側板ばね２６Ｂに対応する２つの突設部２ｔとを含む。突設部２ｔには、下側板ばね２６Ａ及び下側板ばね２６Ｂのそれぞれの可動側支持部としての内側部分２６ｉが装着されて固定されている。下側板ばね２６Ａ及び下側板ばね２６Ｂのそれぞれの内側部分２６ｉとレンズ保持部材２との固定は、内側部分２６ｉに形成された貫通孔に挿通された突設部２ｔを熱かしめすることによって実現される。本実施形態に関する図では、突設部２ｔは、熱かしめされた後の先端が変形した状態で図示されている。
【００３８】
次に、レンズ駆動装置１０１の駆動機構ＭＫについて説明する。駆動機構ＭＫは、図１０Ａ及び図１０Ｂに示すように、コイル３と、ヨーク４と、ヨーク４の外周壁部４Ａを構成する２つの側板部（第１側板部４Ａ１及び第２側板部４Ａ２）と対向するように配置された２つの磁界発生部材５とを含む。具体的には、磁界発生部材５は、第１側板部４Ａ１に対向するように配置された第１磁界発生部材５Ａと、第２側板部４Ａ２に対向するように配置された第２磁界発生部材５Ｂとを含む。そして、駆動機構ＭＫは、コイル３に流れる電流と磁界発生部材５が発生する磁界とで駆動力（推力）を発生させ、レンズ保持部材２を光軸方向に沿って上下に移動させる。
【００３９】
コイル３の延在部３３は、図８Ｂに示すように、コイル３の巻き始め側で第１コイル３Ａに繋がっている第１延在部３３Ａと、コイル３の巻き終わり側で第２コイル３Ｂに繋がっている第２延在部３３Ｂとを含む。
【００４０】
具体的には、第１延在部３３Ａは、図９Ａに示すように、第１保持部７２Ａに巻き付けられる巻き付け部３３ｍと、レンズ保持部材２の底面（Ｚ２側の面）と対向して延びる第１対向部３３ｃと、レンズ保持部材２の底面と前面（Ｘ１側の面）の間にある縁部に対向して延びる第２対向部３３ｋとを含む。第２延在部３３Ｂは、図９Ｂに示すように、第２保持部７２Ｂに巻き付けられる巻き付け部３３ｍと、レンズ保持部材２の底面（Ｚ２側の面）と対向して延びる第１対向部３３ｃと、レンズ保持部材２の底面と後面（Ｘ２側の面）の間にある縁部に対向して延びる第２対向部３３ｋとを含む。
【００４１】
本実施形態では、第１延在部３３Ａは、コイル３の線材が第１巻き付け突起１２ｐＡの外周に巻き付けられる前に、レンズ保持部材２の第１保持部７２Ａに巻き付けられる。図９Ａに示す例では、コイル３の線材の一部が第１保持部７２Ａに４ターン巻き付けられている。これにより、巻き付け部３３ｍが第１保持部７２Ａに形成され、第１延在部３３Ａの一部が第１保持部７２Ａに保持される。但し、第１延在部３３Ａは、コイル３の線材が第１巻き付け突起１２ｐＡの外周に巻き付けられた後で、第１保持部７２Ａに巻き付けられてもよい。
【００４２】
次に、第１巻き付け突起１２ｐＡの外周に線材が巻き付けられる。その際には、図９Ａに示すように、巻き付け部３３ｍから延びる線材は、レンズ保持部材２の底面と対向するように延び、更に、レンズ保持部材２の底面と前面の間にある縁部に対向するように延びる。このとき、レンズ保持部材２の底面と対向する部分が第１延在部３３Ａの第１対向部３３ｃを構成し、レンズ保持部材２の縁部と対向する部分が第１延在部３３Ａの第２対向部３３ｋを構成する。
【００４３】
第１延在部３３Ａの第２対向部３３ｋは、レンズ保持部材２の縁部に対向して延びる際、図９Ａに示すように、レンズ保持部材２の縁部に接するように構成されている。そのため、落下等により強い衝撃がレンズ駆動装置１０１に加えられた際には、コイル３の第１延在部３３Ａはレンズ保持部材２の縁部に押し付けられる。本実施形態では、レンズ保持部材２の縁部は湾曲するように構成されている。そのため、第１延在部３３Ａは、レンズ保持部材２の縁部で切断され難い。第２延在部３３Ｂと接するレンズ保持部材２の縁部についても同様である。
【００４４】
その後、第１コイル３Ａの巻回部１３から引き出された線材によって連結部３Ｃが形成される。次に、第２巻き付け突起１２ｐＢの外周にも同様に線材が巻き付けられる。そして、第１巻き付け突起１２ｐＡの外周への線材の巻き付けと、第２巻き付け突起１２ｐＢの外周への線材の巻き付けとが終了すると、第２コイル３Ｂの巻回部１３の巻き終わり側の端部に繋がる第２延在部３３Ｂは、図９Ｂに示すように、レンズ保持部材２の後面側から底面側に引き出される。具体的には、第２対向部３３ｋがレンズ保持部材２の底面と後面の間にある縁部に対向して延び、第１対向部３３ｃがレンズ保持部材２の底面と対向して延び、巻き付け部３３ｍがレンズ保持部材２の第２保持部７２Ｂに巻き付けられる。図９Ｂに示す例では、第２延在部３３Ｂは、第２保持部７２Ｂに４ターン巻き付けられている。
【００４５】
次に、板ばね６及び固定側部材ＲＧの詳細について説明する。図１１Ａは、上側板ばね１６の上面図であり、図１１Ｂは、下側板ばね２６の上面図である。図１２Ａ及び図１２Ｂは、下側板ばね２６Ｂとコイル３との接続構造の一例を説明する図である。具体的には、図１２Ａは、図１０Ａに示す部分Ｔの拡大図であり、図１２Ｂは、図１０Ａに示す部分ＴをＸ２側から見たときの下側板ばね２６Ｂ、コイル３、及びレンズ保持部材２の拡大図である。なお、図１２Ａ及び図１２Ｂでは、説明を分かり易くするため、第２接合材ＡＤ２としての導電性接着剤ＣＡがクロスハッチングで示されている。図１３は、固定側部材ＲＧとしてのベース部材１８を説明する図である。具体的には、図１３は、金属部材７が埋め込まれるベース部材１８の分解斜視図及び完成斜視図である。
【００４６】
本実施形態では、板ばね６は、銅合金を主な材料とした金属板から作製されている。そして、板ばね６は、レンズ保持部材２とヨーク４（スペーサ部材１）との間に配置される上側板ばね１６と、レンズ保持部材２とベース部材１８との間に配置される下側板ばね２６とを含む。レンズ保持部材２と板ばね６（上側板ばね１６、下側板ばね２６Ａ、及び下側板ばね２６Ｂ）のそれぞれとが係合された状態で、板ばね６は、レンズ保持部材２が光軸方向（Ｚ軸方向）へ移動可能となるように、レンズ保持部材２を支持している。下側板ばね２６Ａ及び下側板ばね２６Ｂは、コイル３に電流を供給するための給電部材としても機能する。そのため、下側板ばね２６Ａはコイル３の一端部に電気的に接続され、下側板ばね２６Ｂはコイル３の他端部に電気的に接続されている。上側板ばね１６とヨーク４との間にはスペーサ部材１が配置されている。
【００４７】
上側板ばね１６は、図１１Ａに示すように、上面視で略矩形状を有し、レンズ保持部材２に固定される可動側支持部としての内側部分１６ｉと、固定側部材ＲＧとしてのスペーサ部材１に固定される固定側支持部としての外側部分１６ｅと、内側部分１６ｉと外側部分１６ｅとの間に位置する４つの弾性腕部１６ｇとを含む。具体的には、内側部分１６ｉは、レンズ保持部材２の台座部１２ｄと対向するように設けられている。外側部分１６ｅは、４つの角部分１６ｂと、隣接する２つの角部分１６ｂを繋ぐ２つの桟部１６ｒとを有している。桟部１６ｒは、図４Ａ及び図４Ｂに示すように、スペーサ部材１と磁界発生部材５とで挟持されて接着剤で固定される。角部分１６ｂは、接着剤でスペーサ部材１の角部に固定される。スペーサ部材１、ヨーク４、及び磁界発生部材５は、固定側部材ＲＧとして機能する。
【００４８】
具体的には、上側板ばね１６がレンズ駆動装置１０１に組み込まれた際には、図４Ａに示すように、内側部分１６ｉは、レンズ保持部材２の台座部１２ｄ（図５Ａ参照。）に載置される。そして、内側部分１６ｉと台座部１２ｄとを接着剤で固定することにより、内側部分１６ｉはレンズ保持部材２に固定される。外側部分１６ｅは、図４Ｂに示すように、磁界発生部材５の上面（Ｚ１側の面）に接し、スペーサ部材１（図４Ａ参照。）と磁界発生部材５との間に挟持されて固定される。
【００４９】
上側板ばね１６は、図１１Ａに示すように、略左右対称（光軸ＪＤに関して２回回転対称）となるように形成されている。そして、内側部分１６ｉでレンズ保持部材２に固定され、外側部分１６ｅでスペーサ部材１を介してヨーク４に固定されている。そのため、上側板ばね１６は、レンズ保持部材２をバランス良く支持できる。
【００５０】
下側板ばね２６Ａ及び下側板ばね２６Ｂは、図１１Ｂに示すように、それぞれの内側形状が略半円形状となるように構成されている。そして、レンズ保持部材２に固定される可動側支持部としての内側部分２６ｉと、固定側部材ＲＧとしてのベース部材１８に固定される固定側支持部としての外側部分２６ｅと、内側部分２６ｉと外側部分２６ｅとの間に位置する弾性腕部２６ｇとを含む。
【００５１】
下側板ばね２６Ａ及び下側板ばね２６Ｂのそれぞれの内側部分２６ｉは、図１１Ｂに示すように、レンズ保持部材２と係合される２つの内側接合部分２６ｃと、２つの内側接合部分２６ｃを繋ぐ第１連結部２６ｐと、コイル３の延在部３３と対向する接続板部２６ｈとを含む。
【００５２】
下側板ばね２６Ａ及び下側板ばね２６Ｂがレンズ駆動装置１０１に組み込まれた際には、図６Ａに示すレンズ保持部材２の４つの突設部２ｔのそれぞれは、図１１Ｂに示す下側板ばね２６Ａ及び下側板ばね２６Ｂのそれぞれの内側接合部分２６ｃに設けられた円形の貫通孔に挿通されて嵌合される。これにより、下側板ばね２６Ａ及び下側板ばね２６Ｂのそれぞれの内側部分２６ｉは、レンズ保持部材２に位置決めされ且つ固定される。下側板ばね２６Ａ及び下側板ばね２６Ｂは、例えば、レンズ保持部材２の突設部２ｔに熱かしめ又は冷間かしめを施すことで、レンズ保持部材２に固定される。
【００５３】
以下では、主に下側板ばね２６Ｂとレンズ保持部材２及びコイル３との関係を説明する。但し、下側板ばね２６Ｂに関する説明は、下側板ばね２６Ａにも同様に適用される。
【００５４】
下側板ばね２６Ｂの内側部分２６ｉの接続板部２６ｈは、図１２Ａ及び図１２Ｂに示すように、レンズ駆動装置１０１が組み立てられた際には、レンズ保持部材２の突堤部８２と対向する。すなわち、接続板部２６ｈの被写体側（Ｚ１側）の面は、図１２Ａに示すように、突堤部８２で形成された収容部８２ｓと対向する。そして、コイル３の第２延在部３３Ｂの第１対向部３３ｃは、図１２Ｂに示すように、下側板ばね２６Ｂの内側部分２６ｉ（接続板部２６ｈ）の被写体側の面とレンズ保持部材２の撮像素子側（Ｚ２側）の面との間を通って延びる。
【００５５】
突堤部８２は、図９Ｂに示すように、レンズ保持部材２の中心側に位置する内側壁部８２ｕと、内側壁部８２ｕと対向して外側に位置する外側壁部８２ｖと、第２保持部７２Ｂに近い側で内側壁部８２ｕと外側壁部８２ｖとの間に位置する側壁部８２ｗとを含む。第２保持部７２Ｂから遠い突堤部８２の側には、図９Ｂに示すように、壁部が切り欠かれた開放部８２ｚが形成されている。そして、３つの壁部（内側壁部８２ｕ、外側壁部８２ｖ、及び側壁部８２ｗ）で囲われた空間が収容部８２ｓを形成している。収容部８２ｓは、コイル３の第２延在部３３Ｂと下側板ばね２６Ｂとを接続する導電性接着剤ＣＡを収容できるように構成されている。本実施形態では、突堤部８２が第２保持部７２Ｂと隣り合う位置に形成されているので、第２保持部７２Ｂの側壁は、突堤部８２の側壁部８２ｗとして好適に利用されている。したがって、第２保持部７２Ｂと隣り合う位置に収容部８２ｓが設けられている。
【００５６】
下側板ばね２６Ｂがレンズ保持部材２に組み付けられた際には、図１２Ｂに示すように、第２保持部７２Ｂは、その先端が下側板ばね２６Ｂの内側部分２６ｉの撮像素子側（Ｚ２側）に位置するように、内側部分２６ｉよりも下方（Ｚ２方向）に突出している。また、巻き付け部３３ｍの一部も内側部分２６ｉの撮像素子側（Ｚ２側）に位置するように第２保持部７２Ｂに巻き付けられている。
【００５７】
下側板ばね２６Ｂとコイル３の第２延在部３３Ｂは、合成樹脂中に銀粒子等の導電性フィラーが分散された導電性接着剤ＣＡで電気的且つ物理的に接続されている。具体的には、下側板ばね２６Ｂをレンズ保持部材２に組み込む前に、レンズ保持部材２の突堤部８２で囲まれた収容部８２ｓに導電性接着剤ＣＡが充填され、その後、下側板ばね２６Ｂがレンズ保持部材２に装着される。そして、レンズ保持部材２の突設部２ｔが熱かしめされ、且つ、導電性接着剤ＣＡが熱硬化される。導電性接着剤ＣＡの収容部８２ｓへの充填から導電性接着剤ＣＡの熱硬化までは、第２保持部７２Ｂが鉛直上方に突出するようにレンズ保持部材２が逆さまにされた状態で行われる。そのため、導電性接着剤ＣＡは、流動性を有する場合であっても、所望の位置（収容部８２ｓ内の位置）に適切に保持され得る。そして、第１対向部３３ｃの一部は、収容部８２ｓ内に配置されているため、導電性接着剤ＣＡ内に埋設される。なお、導電性接着剤ＣＡは、熱硬化型に限らず、紫外線硬化型のものであってもよい。
【００５８】
下側板ばね２６Ｂの外側部分２６ｅは、図１１Ｂに示すように、ベース部材１８と係合される２つの外側接合部分２６ｄと、２つの外側接合部分２６ｄを繋ぐ第２連結部２６ｑとを含む。下側板ばね２６Ｂの外側接合部分２６ｄに設けられた貫通孔は、ベース部材１８の上面に設けられた突設部１８ｔ（図１３参照。）と嵌合する。これにより、下側板ばね２６Ｂの外側部分２６ｅは、ベース部材１８に位置決めされ且つ固定される。
【００５９】
下側板ばね２６Ａ及び下側板ばね２６Ｂは、図１１Ｂに示すように、略左右対称（光軸ＪＤに関して２回回転対称）となるように形成されている。そして、下側板ばね２６Ｂは、２つの内側接合部分２６ｃでレンズ保持部材２に接続され、２つの外側接合部分２６ｄでベース部材１８に接続されている。下側板ばね２６Ａについても同様である。この構成により、下側板ばね２６Ａ及び下側板ばね２６Ｂは、レンズ保持部材２を光軸方向へ移動可能な状態でバランス良く支持することができる。
【００６０】
次に、固定側部材ＲＧの詳細について説明する。固定側部材ＲＧは、上側板ばね１６を固定するスペーサ部材１、ヨーク４、及び磁界発生部材５と、下側板ばね２６Ａ及び下側板ばね２６Ｂのそれぞれを固定するベース部材１８とを含む。
【００６１】
ベース部材１８は、液晶ポリマー等の合成樹脂を用いた射出成形によって作製される。本実施形態では、ベース部材１８は、図１３に示すように、略矩形板状の外形を有する部材であり、中央に円形の開口１８ｋが形成されている。また、ベース部材１８の被写体側（Ｚ１側）の面（上面）には、上方に向けて突出する６つの突設部１８ｔが設けられている。突設部１８ｔは、下側板ばね２６Ａ及び下側板ばね２６Ｂのそれぞれにおける外側接合部分２６ｄに設けられた貫通孔に挿通され且つ嵌合される。この際、突設部１８ｔは熱かしめが施されて外側接合部分２６ｄに固定される。本実施形態に関する図では、突設部１８ｔは、熱かしめされた後の先端が変形した状態で図示されている。突設部１８ｔは冷間かしめが施されて外側接合部分２６ｄに固定されてもよい。
【００６２】
ベース部材１８には、図１３に示すように、銅若しくは鉄又はそれらを主成分とする合金等の材料を含む金属板から形成された金属部材７がインサート成形されて埋め込まれている。
【００６３】
金属部材７は、第１金属部材７Ａ〜第５金属部材７Ｅを含む。第１金属部材７Ａは、ベース部材１８の外周側面（Ｙ２側の面）から露出する接続部７ＡＣを有し、第２金属部材７Ｂは、ベース部材１８の外周側面（Ｙ２側の面）から露出する接続部７ＢＣを有する。接続部７ＡＣの表面と接続部７ＢＣの表面は、同一平面上に位置している。
【００６４】
Ｌ字状に折り曲げられて形成される接続部７ＡＣは、磁気検出部材１１が搭載されたフレキシブルプリント基板１０に形成された２つの導電部１０Ｃ（図１５Ａ参照。）のうちの一方である第１導電部１０Ｃ１に対向した状態で、導電性接合材を介して第１導電部１０Ｃ１に接続される。導電性接合材は、例えば、半田又は導電性接着剤等である。本実施形態では、導電性接着剤が用いられる。
【００６５】
同様に、Ｌ字状に折り曲げられて形成される接続部７ＢＣは、２つの導電部１０Ｃのうちの他方である第２導電部１０Ｃ２に対向した状態で、導電性接合材を介して第２導電部１０Ｃ２に接続される。
【００６６】
第３金属部材７Ｃは、ベース部材１８の角部からＺ２方向に突出する突出部７ＣＴを有する。また、第３金属部材７Ｃ、第４金属部材７Ｄ、及び第５金属部材７Ｅは、それぞれ、ベース部材１８の角部から光軸方向に垂直な方向に外側に突出する端部７ＣＲ、７ＤＲ、並びに、７ＥＲ１及び７ＥＲ２を有する。端部７ＣＲ、７ＤＲ、７ＥＲ１、及び７ＥＲ２のそれぞれは、図２Ａ及び図２Ｂに示すように、ヨーク４の四隅の下端部と接触するように構成されている。この構成により、第３金属部材７Ｃ〜第５金属部材７Ｅのそれぞれは、ヨーク４を介して互いに電気的に接続され、且つ、第３金属部材７Ｃの突出部７ＣＴを通じて接地される。
【００６７】
ベース部材１８は、ヨーク４の外周壁部４Ａの内面とベース部材１８の外周側面とが組み合わさって位置決めされた状態で、端部７ＣＲ、７ＤＲ、７ＥＲ１、及び７ＥＲ２のそれぞれとヨーク４の四隅の下端部とが溶接されてヨーク４に固定される。ヨーク４とベース部材１８とは少なくとも部分的に接着剤で固定されてもよい。
【００６８】
次に、図１４Ａ及び図１４Ｂを参照し、フレキシブルプリント基板１０の詳細について説明する。図１４Ａ及び図１４Ｂは、フレキシブルプリント基板１０に形成されるパターン層を示す図である。具体的には、図１４Ａは、フレキシブルプリント基板１０のＹ１側に配置される内側パターン層１０Ｌ１を示し、図１４Ｂは、フレキシブルプリント基板１０のＹ２側に配置される外側パターン層１０Ｌ２を示す。
【００６９】
フレキシブルプリント基板１０は、両面に導電性の配線パターンが形成された両面プリント基板であり、内側（Ｙ１側）に配置される内側パターン層１０Ｌ１と、外側（Ｙ２側）に配置される外側パターン層１０Ｌ２とを有する。
【００７０】
内側パターン層１０Ｌ１は、磁気検出部材１１における６つの接続部（図示せず。）に接続される第１ランド部ＬＤ１〜第６ランド部ＬＤ６と、コンデンサ１４における２つの電極（図示せず。）に接続される第７ランド部ＬＤ７及び第８ランド部ＬＤ８とを含む。本実施形態では、磁気検出部材１１における６つの接続部と第１ランド部ＬＤ１〜第６ランド部ＬＤ６とは半田付けによって接続される。同様に、コンデンサ１４における２つの電極と第７ランド部ＬＤ７及び第８ランド部ＬＤ８とは半田付けによって接続される。コンデンサ１４は、電源電圧と接地電圧との間に接続されるバイパスコンデンサである。
【００７１】
第１ランド部ＬＤ１は、接地用の端子に接続されるランド部である。第２ランド部ＬＤ２は、電源電圧用の端子に接続されるランド部である。第３ランド部ＬＤ３は、データ信号用の端子に接続されるランド部である。第４ランド部ＬＤ４は、クロック信号用の端子に接続されるランド部である。第５ランド部ＬＤ５及び第６ランド部ＬＤ６は、磁気検出部材１１におけるドライバＩＣ（電流制御回路）によって制御される電流の出力に利用されるランド部である。
【００７２】
外側パターン層１０Ｌ２は、図２Ｂに示すように、レンズ駆動装置１０１が組み立てられたときに、第１導電部１０Ｃ１、第２導電部１０Ｃ２、及び第１端子部Ｔ１〜第４端子部Ｔ４が露出するように構成されている。
【００７３】
第１端子部Ｔ１は、接地用の端子であり、図１４Ｂに示すように、第１パターン部ＰＴ１に繋がり、更に、ビアホールＶ１を介して内側パターン層１０Ｌ１の第２パターン部ＰＴ２（図１４Ａ参照。）に繋がっている。第１パターン部ＰＴ１は、ビアホールＶ２を介して内側パターン層１０Ｌ１の第４パターン部ＰＴ４にも繋がっている。第４パターン部ＰＴ４の端部には第７ランド部ＬＤ７が形成されている。また、第１パターン部ＰＴ１は、ビアホールＶ３を介して内側パターン層１０Ｌ１の第１ランド部ＬＤ１に繋がっている。また、第２パターン部ＰＴ２は、ビアホールＶ９を介して外側パターン層１０Ｌ２の第３パターン部ＰＴ３に繋がっている。
【００７４】
第２端子部Ｔ２は、電源電圧に接続される端子であり、ビアホールＶ４を介して内側パターン層１０Ｌ１の第８ランド部ＬＤ８に繋がっている。また、第２端子部Ｔ２は、ビアホールＶ５を介して内側パターン層１０Ｌ１の第２ランド部ＬＤ２に繋がっている。
【００７５】
第３端子部Ｔ３は、データ信号用の端子であり、ビアホールＶ６を介して内側パターン層１０Ｌ１の第３ランド部ＬＤ３に繋がっている。
【００７６】
第４端子部Ｔ４は、クロック信号用の端子であり、ビアホールＶ７を介して内側パターン層１０Ｌ１の第４ランド部ＬＤ４に繋がっている。
【００７７】
内側パターン層１０Ｌ１の第５ランド部ＬＤ５は、ビアホールＶ８及び外側パターン層１０Ｌ２の配線パターンを介して第１導電部１０Ｃ１に繋がっている。内側パターン層１０Ｌ１の第６ランド部ＬＤ６は、内側パターン層１０Ｌ１の配線パターンを介して第２導電部１０Ｃ２に繋がっている。なお、内側パターン層１０Ｌ１の第１導電部１０Ｃ１と外側パターン層１０Ｌ２の第１導電部１０Ｃ１とは互いに導通している。第２導電部１０Ｃ２についても同様である。
【００７８】
この構成により、磁気検出部材１１におけるドライバＩＣは、例えば、第３端子部Ｔ３を通じて外部の制御装置等から光軸方向におけるレンズ保持部材２の目標位置に関する指令を受けることができる。そして、ドライバＩＣは、ホール素子が検出する磁界の大きさに基づいてレンズ保持部材２の現在位置を特定し、レンズ保持部材２の現在位置と目標位置との間の差がゼロとなるようにコイル３を流れる電流の大きさを増減させることができる。すなわち、ドライバＩＣは、光軸方向におけるレンズ保持部材２の位置のフィードバック制御を実現できる。
【００７９】
次に、図１５Ａ〜図１５Ｄを参照し、コイル３、金属部材７、フレキシブルプリント基板１０、及び下側板ばね２６の電気的且つ物理的な接続関係について説明する。図１５Ａ〜図１５Ｄは、コイル３、金属部材７、フレキシブルプリント基板１０、及び下側板ばね２６の電気的且つ物理的な接続関係を示す図である。具体的には、図１５Ａは、フレキシブルプリント基板１０の斜視図であり、図１５Ｂは、金属部材７及びフレキシブルプリント基板１０の斜視図であり、図１５Ｃは、金属部材７、フレキシブルプリント基板１０、及び下側板ばね２６の斜視図であり、図１５Ｄは、コイル３、金属部材７、フレキシブルプリント基板１０、及び下側板ばね２６の斜視図である。なお、図１５Ａ〜図１５Ｄは、電流が流れる部材をドットハッチングで示している。
【００８０】
フレキシブルプリント基板１０における２つの導電部１０Ｃは、金属部材７に接続されている。具体的には、図２Ｂ及び図１５Ｂに示すように、第１導電部１０Ｃ１は、導電性接合材ＡＤにより、第１金属部材７Ａの接続部７ＡＣに接続され、第２導電部１０Ｃ２は、導電性接合材ＡＤにより、第２金属部材７Ｂの接続部７ＢＣに接続されている。
【００８１】
第１金属部材７Ａは、図１３に示すように、ベース部材１８の上面で露出する接触部７ＡＰを有する。同様に、第２金属部材７Ｂは、ベース部材１８の上面で露出する接触部７ＢＰを有する。接触部７ＡＰは、溶接又は導電性接着剤により、下側板ばね２６Ａの外側接合部分２６ｄに接続されている。同様に、接触部７ＢＰは、溶接又は導電性接着剤により、下側板ばね２６Ｂの外側接合部分２６ｄに接続されている。
【００８２】
下側板ばね２６Ａの接続板部２６ｈは、導電性接着剤により、第１コイル３Ａに繋がる第１延在部３３Ａの第１対向部３３ｃ（図１５Ｄでは不可視。）に接続されている。同様に、下側板ばね２６Ｂの接続板部２６ｈは、導電性接着剤により、第２コイル３Ｂに繋がる第２延在部３３Ｂの第１対向部３３ｃに接続されている。
【００８３】
上述のような接続関係により、第１導電部１０Ｃ１から出力される電流は、例えば、図１５Ｂの矢印ＡＲ１で示すように第１金属部材７Ａの接続部７ＡＣから接触部７ＡＰへ流れる。そして、電流は、図１５Ｃの矢印ＡＲ２で示すように、下側板ばね２６Ａの外側接合部分２６ｄから接続板部２６ｈに流れ、更に、図１５Ｄの矢印ＡＲ３〜矢印ＡＲ７で示すように、第１延在部３３Ａの第１対向部３３ｃ（図１５Ｄでは不可視。）から第１コイル３Ａ、連結部３Ｃ、及び第２コイル３Ｂを介して第２延在部３３Ｂの第１対向部３３ｃに流れる。その後、電流は、図１５Ｃの矢印ＡＲ８で示すように、下側板ばね２６Ｂの接続板部２６ｈから外側接合部分２６ｄに流れ、更に、図１５Ｂの矢印ＡＲ９で示すように、第２金属部材７Ｂの接触部７ＢＰから接続部７ＢＣを介して第２導電部１０Ｃ２に流れる。第２導電部１０Ｃ２から第１導電部１０Ｃ１に向かって電流が流れる場合、その電流は、同様の経路を逆方向に流れる。
【００８４】
磁気検出部材１１におけるドライバＩＣは、第１導電部１０Ｃ１と第２導電部１０Ｃ２との間を流れる電流の向き及び大きさを変えることで、光軸方向におけるレンズ保持部材２の位置を制御できる。本実施形態では、磁気検出部材１１におけるホール素子は、検出用磁石８が発生させる磁界を検出する。そして、ドライバＩＣは、ホール素子が検出した磁界の大きさに基づき、光軸方向におけるレンズ保持部材２の現在位置を特定する。そして、ドライバＩＣは、光軸方向におけるレンズ保持部材２の現在位置と目標位置との差がゼロとなるよう、第１導電部１０Ｃ１と第２導電部１０Ｃ２との間を流れる電流の向き及び大きさを変化させる。このようにして、ドライバＩＣは、光軸方向におけるレンズ保持部材２の位置をフィードバック制御できる。
【００８５】
次に、図１６Ａ〜図１６Ｄ、図１７Ａ〜図１７Ｄ、及び図１８Ａ〜図１８Ｄを参照し、コイル３に電流が流れていない初期状態での、コイル３、磁界発生部材５、検出用磁石８、バランス用磁石９、及び磁気検出部材１１の配置の一例について説明する。なお、本実施形態における初期状態は、光軸ＪＤが鉛直方向に対して直交するようにレンズ駆動装置１０１が向けられたときの初期状態を意味する。図１６Ａ〜図１６Ｄは、コイル３、磁界発生部材５、検出用磁石８、バランス用磁石９、及び磁気検出部材１１の配置の一例を示す図である。具体的には、図１６Ａは、駆動機構ＭＫの上面図である。図１６Ｂは、駆動機構ＭＫをＹ１側から見たときの駆動機構ＭＫの背面図である。図１６Ｃは、駆動機構ＭＫをＸ１側から見たときの駆動機構ＭＫの右側面図である。図１６Ｄは、駆動機構ＭＫをＸ２側から見たときの駆動機構ＭＫの左側面図である。駆動機構ＭＫは、コイル３、ヨーク４、磁界発生部材５、検出用磁石８、バランス用磁石９、及び磁気検出部材１１を含む。なお、明瞭化のため、図１６Ａでは、レンズ保持部材２及びフレキシブルプリント基板１０が図示され、ヨーク４の図示が省略されている。また、図１６Ｂ〜図１６Ｄでは、フレキシブルプリント基板１０が図示され、レンズ保持部材２及びヨーク４の図示が省略されている。また、図１６Ａ〜図１６Ｄでは、磁石のＮ極がクロスハッチングで表され、磁石のＳ極が斜線ハッチングで表され、コイル３がドットハッチングで表されている。
【００８６】
図１６Ａに示すように、第１コイル３Ａは、第１磁界発生部材５Ａと対向するように配置され、第２コイル３Ｂは、第２磁界発生部材５Ｂと対向するように配置されている。
【００８７】
検出用磁石８は、光軸方向であるＺ軸方向に分極着磁された二極磁石であり、フレキシブルプリント基板１０の内側（Ｙ１側）に取り付けられた磁気検出部材１１とＹ軸方向において対向するように配置されている。具体的には、磁気検出部材１１は、図１６Ｂ〜図１６Ｄに示すように、検出用磁石８におけるＮ極部分とＳ極部分との間の境界がホール素子の測定範囲内となるように配置されている。なお、離間して対向する検出用磁石８と磁気検出部材１１との間には、検出用磁石８を収容するレンズ保持部材２に形成された凹部を構成する壁部が存在している。この壁部は、合成樹脂で形成されているため、検出用磁石８及び磁気検出部材１１に対し、磁気的な影響を及ぼさない。但し、離間して対向する検出用磁石８と磁気検出部材１１との間にある壁部は省略されてもよい。すなわち、検出用磁石８と磁気検出部材１１とは、直接対向していてもよいし、非磁性材料からなる部材を挟んで対向していてもよい。
【００８８】
バランス用磁石９は、Ｚ軸方向に分極着磁された二極磁石であり、望ましくは図１６Ｂ〜図１６Ｄに示すように、Ｚ軸方向において検出用磁石８と同じ高さとなるように配置されている。
【００８９】
また、検出用磁石８は、直線距離で比較すると、第２磁界発生部材５Ｂよりも第１磁界発生部材５Ａに近い位置に配置され、バランス用磁石９は、直線距離で比較すると、第１磁界発生部材５Ａよりも第２磁界発生部材５Ｂに近い位置に配置されている。本実施形態では、Ｘ軸方向における検出用磁石８と第１磁界発生部材５Ａとの間の距離ＤＳ１は、検出用磁石８と第２磁界発生部材５Ｂとの間の距離ＤＳ２よりも小さい。また、Ｘ軸方向におけるバランス用磁石９と第２磁界発生部材５Ｂとの間の距離ＤＳ３は、バランス用磁石９と第１磁界発生部材５Ａとの間の距離ＤＳ４よりも小さい。
【００９０】
また、検出用磁石８及びバランス用磁石９は、光軸ＪＤと検出用磁石８との間の距離ＤＳ５が、光軸ＪＤとバランス用磁石９との間の距離ＤＳ６と等しくなるように、レンズ保持部材２に取り付けられている。検出用磁石８の重量がレンズ保持部材２に及ぼす影響をバランス用磁石９によって相殺するためである。
【００９１】
図１６Ｂに示すように、検出用磁石８は、上側部分（Ｚ１側の部分）がＳ極となり、下側部分（Ｚ２側の部分）がＮ極となるように配置されている。バランス用磁石９は、上側部分（Ｚ１側の部分）がＮ極となり、下側部分（Ｚ２側の部分）がＳ極となるように配置されている。
【００９２】
第１上側磁石５ＡＵは、第１コイル３Ａの上部と対向する内側部分（Ｘ２側の部分）がＳ極となり、外側部分（Ｘ１側の部分）がＮ極となるように配置されている。また、第１下側磁石５ＡＬは、第１コイル３Ａの下部と対向する内側部分（Ｘ２側の部分）がＮ極となり、外側部分（Ｘ１側の部分）がＳ極となるように配置されている。第１コイル３Ａの上部と下部とでは、電流の流れる方向が逆となっているためである。
【００９３】
第２上側磁石５ＢＵは、第２コイル３Ｂの上部と対向する内側部分（Ｘ１側の部分）がＮ極となり、外側部分（Ｘ２側の部分）がＳ極となるように配置されている。また、第２下側磁石５ＢＬは、第２コイル３Ｂの下部と対向する内側部分（Ｘ１側の部分）がＳ極となり、外側部分（Ｘ２側の部分）がＮ極となるように配置されている。第２コイル３Ｂの上部と下部とでは、電流の流れる方向が逆となっているためである。
【００９４】
本実施形態では、第１磁界発生部材５Ａは、第１上側磁石５ＡＵのＮ極部分と第１下側磁石５ＡＬのＳ極部分との間の境界の位置（すなわち、第１上側磁石５ＡＵと第１下側磁石５ＡＬとの境界の位置）が、図１６Ｃに示す線分Ｌ１を含むＸＹ平面において、検出用磁石８のＮ極部分とＳ極部分との境界の位置と一致するように配置されている。同様に、第２磁界発生部材５Ｂは、第２上側磁石５ＢＵのＳ極部分と第２下側磁石５ＢＬのＮ極部分との間の境界の位置（すなわち、第２上側磁石５ＢＵと第２下側磁石５ＢＬとの境界の位置）が、図１６Ｄに示す線分Ｌ２を含むＸＹ平面において、バランス用磁石９のＮ極部分とＳ極部分との境界の位置と一致するように配置されている。なお、線分Ｌ１と線分Ｌ２とは、光軸ＪＤと垂直な同じ一つのＸＹ平面上に位置している。
【００９５】
また、本実施形態では、図１６Ｂに示すように、検出用磁石８は、その上下幅Ｈ１が、第１コイル３Ａの上下幅Ｈ２内に収まるように、且つ、第１磁界発生部材５Ａの上下幅Ｈ３内に収まるように配置されている。バランス用磁石９についても同様である。
【００９６】
上述の配置により、初期状態において、検出用磁石８の上側部分（Ｓ極部分）と第１上側磁石５ＡＵの内側部分（Ｓ極部分）との間には斥力が生成される。そのため、検出用磁石８を支持する可動部としてのレンズ保持部材２は、図１６Ｂの矢印ＡＲ１２で示す方向に付勢される。すなわち、レンズ保持部材２には、レンズ保持部材２を第１磁界発生部材５Ａから遠ざけようとする力が作用する。
【００９７】
また、検出用磁石８の下側部分（Ｎ極部分）と第１下側磁石５ＡＬの内側部分（Ｎ極部分）との間にも斥力が生成される。そのため、レンズ保持部材２は、図１６Ｂの矢印ＡＲ１３で示す方向、すなわち、矢印ＡＲ１２で示す方向と同じ方向に付勢される。すなわち、レンズ保持部材２には、レンズ保持部材２を第１磁界発生部材５Ａから遠ざけようとする力が作用する。
【００９８】
一方、バランス用磁石９の上側部分（Ｎ極部分）と第２上側磁石５ＢＵの内側部分（Ｎ極部分）との間にも斥力が生成される。そのため、レンズ保持部材２は、図１６Ｂの矢印ＡＲ１４で示す方向、すなわち、矢印ＡＲ１２で示す方向とは反対の方向に付勢される。すなわち、レンズ保持部材２には、レンズ保持部材２を第２磁界発生部材５Ｂから遠ざけようとする力が作用する。
【００９９】
また、バランス用磁石９の下側部分（Ｓ極部分）と第２下側磁石５ＢＬの内側部分（Ｓ極部分）との間にも斥力が生成される。そのため、レンズ保持部材２は、図１６Ｂの矢印ＡＲ１５で示す方向、すなわち、矢印ＡＲ１４で示す方向と同じ方向ではあるが矢印ＡＲ１２で示す方向とは反対の方向に付勢される。すなわち、レンズ保持部材２には、レンズ保持部材２を第２磁界発生部材５Ｂから遠ざけようとする力が作用する。
【０１００】
その結果、レンズ保持部材２は、図１６Ａに示すように、矢印ＡＲ１０で示す方向と、矢印ＡＲ１１で示す方向とに同時に付勢される。すなわち、レンズ保持部材２は、両側から押し付けられるように力を受けるため、レンズ体の光軸ＪＤがずれたり、Ｚ軸に対して傾いたりしてしまうのを抑制できる。
【０１０１】
なお、検出用磁石８は、第１磁界発生部材５Ａの一端部の近傍に配置されている。そのため、検出用磁石８に作用する力は、厳密には、矢印ＡＲ１０で表されるＸ軸方向の成分ばかりでなくＹ軸方向の成分をも有する。すなわち、検出用磁石８に作用する力は、光軸ＪＤを中心とする円の接線方向に作用する力をレンズ保持部材２にもたらす。同様に、バランス用磁石９は、第２磁界発生部材５Ｂの他端部の近傍に配置されている。そのため、バランス用磁石９に作用する力も、厳密には、矢印ＡＲ１１で表されるＸ軸方向の成分ばかりでなくＹ軸方向の成分をも有する。すなわち、バランス用磁石９に作用する力は、光軸ＪＤを中心とする円の接線方向に作用する力をレンズ保持部材２にもたらす。しかしながら、接線方向に作用する２つの力は、レンズ保持部材２を光軸ＪＤ回りに回転させる傾向を有するのみであるため、レンズ体の光軸ＪＤをずらすことはない。また、光軸ＪＤ回りのレンズ保持部材２の回転は、板ばねの剛性によって抑制されるため、この点においても、接線方向に作用する２つの力がレンズ体の光軸ＪＤをずらすことはない。
【０１０２】
例えば、図１６Ａ〜図１６Ｄの配置において、仮に検出用磁石８の上側部分をＮ極とし、下側部分をＳ極とした場合、検出用磁石８と第１磁界発生部材５Ａとの間には斥力ではなく引力が生成される。この場合、レンズ保持部材２は、バランス用磁石９と第２磁界発生部材５Ｂとの間に生成される斥力によって矢印ＡＲ１１で示す方向に付勢され、且つ、検出用磁石８と第１磁界発生部材５Ａとの間に生成される引力によって矢印ＡＲ１０で示す方向とは反対の方向、すなわち、矢印ＡＲ１１で示す方向と同じ方向に付勢される。その結果、レンズ保持部材２は、例えば図１６Ａの矢印ＡＲ１１で示す方向に光軸ＪＤをずらせたり、或いは、例えば図１６Ｂの矢印ＡＲ１６で示す方向に光軸ＪＤを傾斜させたりする傾向を示してしまう。本実施形態に係る上述の配置は、このような光軸ＪＤのずれ又は傾斜が発生してしまうのを抑制できる。
【０１０３】
次に、図１７Ａ〜図１７Ｄを参照し、初期状態でのコイル３、磁界発生部材５、検出用磁石８、バランス用磁石９、及び磁気検出部材１１の配置の別の一例について説明する。図１７Ａ〜図１７Ｄは、コイル３、磁界発生部材５、検出用磁石８、バランス用磁石９、及び磁気検出部材１１の配置の別の一例を示す図であり、図１６Ａ〜図１６Ｄに対応する。
【０１０４】
図１７Ａ〜図１７Ｄに示す駆動機構ＭＫは、上側部分がＮ極となり下側部分がＳ極となるように検出用磁石８が配置され且つ上側部分がＳ極となり下側部分がＮ極となるようにバランス用磁石９が配置されている点で図１６Ａ〜図１６Ｄの駆動機構ＭＫと異なるが、その他の点で共通する。そのため、以下では、共通部分の説明を省略し、相違部分を詳説する。
【０１０５】
図１７Ａ〜図１７Ｄに示す配置により、初期状態において、検出用磁石８の上側部分（Ｎ極部分）と第１上側磁石５ＡＵの内側部分（Ｓ極部分）との間には引力が生成される。そのため、検出用磁石８を支持する可動部としてのレンズ保持部材２は、図１７Ｂの矢印ＡＲ２２で示す方向に付勢される。すなわち、レンズ保持部材２は、第１磁界発生部材５Ａに引き付けられる。
【０１０６】
また、検出用磁石８の下側部分（Ｓ極部分）と第１下側磁石５ＡＬの内側部分（Ｎ極部分）との間にも引力が生成される。そのため、レンズ保持部材２は、図１７Ｂの矢印ＡＲ２３で示す方向、すなわち、矢印ＡＲ２２で示す方向と同じ方向に付勢される。すなわち、レンズ保持部材２は、第１磁界発生部材５Ａに引き付けられる。
【０１０７】
一方、バランス用磁石９の上側部分（Ｓ極部分）と第２上側磁石５ＢＵの内側部分（Ｎ極部分）との間にも引力が生成される。そのため、レンズ保持部材２は、図１７Ｂの矢印ＡＲ２４で示す方向、すなわち、矢印ＡＲ２２で示す方向とは反対の方向に付勢される。すなわち、レンズ保持部材２は、第２磁界発生部材５Ｂに引き付けられる。
【０１０８】
また、バランス用磁石９の下側部分（Ｎ極部分）と第２下側磁石５ＢＬの内側部分（Ｓ極部分）との間にも引力が生成される。そのため、レンズ保持部材２は、図１７Ｂの矢印ＡＲ２５で示す方向、すなわち、矢印ＡＲ２４で示す方向と同じ方向ではあるが矢印ＡＲ２２で示す方向とは反対の方向に付勢される。すなわち、レンズ保持部材２は、第２磁界発生部材５Ｂに引き付けられる。
【０１０９】
その結果、レンズ保持部材２は、図１７Ａに示すように、矢印ＡＲ２０で示す方向と、矢印ＡＲ２１で示す方向とに同時に付勢される。すなわち、レンズ保持部材２は、両側から引っ張られるように力を受けるため、レンズ体の光軸ＪＤがずれたり、Ｚ軸に対して傾いたりしてしまうのを抑制できる。
【０１１０】
次に、図１８Ａ〜図１８Ｄを参照し、初期状態でのコイル３、磁界発生部材５、検出用磁石８、バランス用磁石９、及び磁気検出部材１１の配置の更に別の一例について説明する。図１８Ａ〜図１８Ｄは、コイル３、磁界発生部材５、検出用磁石８、バランス用磁石９、及び磁気検出部材１１の配置の更に別の一例を示す図であり、図１７Ａ〜図１７Ｄに対応する。
【０１１１】
図１８Ａ〜図１８Ｄに示す駆動機構ＭＫは、第１磁界発生部材５Ａの第１下側磁石５ＡＬが省略され、且つ、第２磁界発生部材５Ｂの第２下側磁石５ＢＬが省略されている点で、図１７Ａ〜図１７Ｄに示す駆動機構ＭＫと異なるが、その他の点で共通する。そのため、以下では、共通部分の説明を省略し、相違部分を詳説する。
【０１１２】
図１８Ａ〜図１８Ｄに示す配置により、初期状態において、検出用磁石８の上側部分（Ｎ極部分）と第１磁界発生部材５Ａとしての第１上側磁石５ＡＵの内側部分（Ｓ極部分）との間には引力が生成される。そのため、検出用磁石８を支持する可動部としてのレンズ保持部材２は、図１８Ｂの矢印ＡＲ３２で示す方向に付勢される。すなわち、レンズ保持部材２は、第１磁界発生部材５Ａに引き付けられる。
【０１１３】
一方、バランス用磁石９の上側部分（Ｓ極部分）と第２磁界発生部材５Ｂとしての第２上側磁石５ＢＵの内側部分（Ｎ極部分）との間にも引力が生成される。そのため、レンズ保持部材２は、図１８Ｂの矢印ＡＲ３３で示す方向、すなわち、矢印ＡＲ３２で示す方向とは反対の方向に付勢される。すなわち、レンズ保持部材２は、第２磁界発生部材５Ｂに引き付けられる。
【０１１４】
その結果、レンズ保持部材２は、図１８Ａに示すように、矢印ＡＲ３０で示す方向と、矢印ＡＲ３１で示す方向とに同時に付勢される。すなわち、レンズ保持部材２は、両側から引っ張られるように力を受けるため、レンズ体の光軸ＪＤがずれたり、Ｚ軸に対して傾いたりしてしまうのを抑制できる。
【０１１５】
次に、図１９を参照し、スペーサ部材１、磁界発生部材５、及びフレキシブルプリント基板１０の配置について説明する。図１９は、スペーサ部材１、磁界発生部材５、及びフレキシブルプリント基板１０の斜視図である。なお、図１９は、明瞭化のため、実際にはスペーサ部材１と磁界発生部材５との間に配置される上側板ばね１６の図示を省略している。
【０１１６】
スペーサ部材１は、ヨーク４の上板部４Ｂの内側（Ｚ２側）の面（天井面）に接するようにヨーク４の内部に配置される部材であり、枠状部ＦＲを有する。
【０１１７】
枠状部ＦＲは、矩形環状をなす部材であり、第１辺部ＦＲ１〜第４辺部ＦＲ４を有する。第１辺部ＦＲ１は、第１側板部４Ａ１と対向するように配置され、第２辺部ＦＲ２は、第２側板部４Ａ２と対向するように配置され、第３辺部ＦＲ３は、第３側板部４Ａ３と対向するように配置され、第４辺部ＦＲ４は、第４側板部４Ａ４と対向するように配置されている。
【０１１８】
また、枠状部ＦＲは、磁界発生部材５の位置決めに利用される突出部ＰＲを有する。本実施形態では、突出部ＰＲは、第１磁界発生部材５Ａの位置決めに利用される一対の第１突出部ＰＲ１と、第２磁界発生部材５Ｂの位置決めに利用される一対の第２突出部ＰＲ２とを有する。
【０１１９】
一対の第１突出部ＰＲ１は、第１辺部ＦＲ１のＺ２側の端面からＺ２方向に突出するように形成されている。そして、一対の第１突出部ＰＲ１は、その間に第１磁界発生部材５Ａが配置されるよう、第１磁界発生部材５Ａの幅とほぼ同じ大きさの間隔を空けて配置されている。
【０１２０】
一対の第２突出部ＰＲ２は、第２辺部ＦＲ２のＺ２側の端面からＺ２方向に突出するように形成されている。そして、一対の第２突出部ＰＲ２は、その間に第２磁界発生部材５Ｂが配置されるよう、第２磁界発生部材５Ｂの幅とほぼ同じ大きさの間隔を空けて配置されている。
【０１２１】
また、一対の第１突出部ＰＲ１は、第１上側磁石５ＡＵと第１下側磁石５ＡＬを同時に位置決めできるよう、第１上側磁石５ＡＵの高さＨ１０よりも大きい突出長さＨ１１を有するように構成されている。本実施形態では、一対の第１突出部ＰＲ１は、突出長さＨ１１が第１磁界発生部材５Ａの高さよりも小さくなるように構成されているが、第１磁界発生部材５Ａの高さよりも大きくなるように構成されていてもよい。一対の第２突出部ＰＲ２についても同様である。
【０１２２】
更に、枠状部ＦＲは、フレキシブルプリント基板１０の位置決めに利用される係合部ＥＧと、テーパ部ＴＰを含む一対の突出部ＰＢとを有する。
【０１２３】
本実施形態では、係合部ＥＧは、第４辺部ＦＲ４のＺ２側の端面からＺ２方向に突出するように形成された係合凸部である。そして、係合部ＥＧは、フレキシブルプリント基板１０に形成された被係合部１０Ｒとしての係合凹部とかみ合うように構成されている。なお、係合部ＥＧは、フレキシブルプリント基板１０に形成された被係合部１０Ｒとしての係合凸部とかみ合うように構成された係合凹部であってもよい。
【０１２４】
一対の突出部ＰＢは、第４辺部ＦＲ４のＺ２側の端面からＺ２方向に突出するように形成されている。そして、一対の突出部ＰＢは、係合部ＥＧの両側にテーパ部ＴＰが配置されるように構成されている。
【０１２５】
テーパ部ＴＰは、スペーサ部材１がヨーク４内に配置された状態で、テーパ部ＴＰの表面と第４側板部４Ａ４の表面との間隔が下方（Ｚ２方向）に向かって大きくなるように構成されている。
【０１２６】
上述の構成により、フレキシブルプリント基板１０は、係合部ＥＧによって位置決めされるとともに、第４側板部４Ａ４とテーパ部ＴＰとの間に挟まれた状態で、接着剤等によって第４側板部４Ａ４に固定される。
【０１２７】
次に、図２０Ａ及び図２０Ｂを参照し、テーパ部ＴＰによる効果について説明する。図２０Ａ及び図２０Ｂは、図１９に示す仮想平面ＳＦ１におけるスペーサ部材１、ヨーク４、及びフレキシブルプリント基板１０の断面を示す。具体的には、図２０Ａは、フレキシブルプリント基板１０がヨーク４の第４側板部４Ａ４の内壁（内面）と接する前の状態を示し、図２０Ｂは、フレキシブルプリント基板１０が第４側板部４Ａ４の内壁と接した後の状態を示す。
【０１２８】
レンズ駆動装置１０１の組み立ての際、フレキシブルプリント基板１０は、図２０Ａの矢印ＡＲ４０で示すように、第４側板部４Ａ４の内壁から間隔を空けた状態で、第４側板部４Ａ４の内壁とスペーサ部材１における突出部ＰＢの外壁ＥＷとの間に差し込まれる。
【０１２９】
このとき、フレキシブルプリント基板１０は、内側上端縁がテーパ部ＴＰの表面と接触し、テーパ部ＴＰの表面によって矢印ＡＲ４０で示す方向に案内される。そして、フレキシブルプリント基板１０は、第４側板部４Ａ４の内壁に塗布された接着剤（図示せず。）をその外面で押し広げながら上方（Ｚ１方向）に移動する。
【０１３０】
その後、フレキシブルプリント基板１０は、図２０Ｂに示すように、スペーサ部材１の枠状部ＦＲを構成する第４辺部ＦＲ４の下面ＢＳにその上端面を接触させる。このようにして、フレキシブルプリント基板１０は、Ｙ軸方向及びＺ軸方向の位置決めが実現される。
【０１３１】
なお、フレキシブルプリント基板１０は、図１９に示すように、係合部ＥＧによってＸ軸方向及びＺ軸方向における位置決めが実現される。
【０１３２】
このようにして、スペーサ部材１のテーパ部ＴＰは、第４側板部４Ａ４の内壁と突出部ＰＢの外壁ＥＷとの間の所定位置にフレキシブルプリント基板１０を高精度に位置付けることができる。なお、スペーサ部材１が固定されたヨーク４の内部へのフレキシブルプリント基板１０の組み込みは、ヨーク４の上板部４Ｂが鉛直方向を向く状態で行われるのが好ましい。
【０１３３】
上述の通り、本実施形態に係るレンズ駆動装置１０１は、互いに対向する第１側板部４Ａ１及び第２側板部４Ａ２を含む外周壁部４Ａと上板部４Ｂとを有する筐体（カバー部材としてのヨーク４及びベース部材１８）と、筐体内に位置してレンズ体を保持可能なレンズ保持部材２と、レンズ保持部材２に保持されたコイル３と、コイル３及びレンズ保持部材２を挟んで互いに対向する第１磁界発生部材５Ａ及び第２磁界発生部材５Ｂと、レンズ保持部材２に保持された、レンズ保持部材２の位置を検出するための検出用磁石８と、検出用磁石８に対向するように固定側部材としてのフレキシブルプリント基板１０に保持された磁気検出部材１１と、レンズ体の光軸ＪＤを挟んで検出用磁石８と対向する位置においてレンズ保持部材２に保持されるバランス用磁石９と、レンズ保持部材２を光軸方向へ移動可能に支持するとともに、コイル３を構成する線材の一端部及び他端部にそれぞれ導通する第１板ばねとしての下側板ばね２６Ａ及び第２板ばねとしての下側板ばね２６Ｂとを備えている。そして、検出用磁石８は、第２磁界発生部材５Ｂよりも第１磁界発生部材５Ａに近い位置に配置され、バランス用磁石９は、第１磁界発生部材５Ａよりも第２磁界発生部材５Ｂに近い位置に配置されている。
【０１３４】
この構成により、レンズ駆動装置１０１は、設計自由度を高めることができる。例えば、レンズ駆動装置１０１は、自動焦点調節機能に関するレンズ保持部材２の光軸方向における移動のフィードバック制御を実現しながら、図１６Ａに示すように、上面視で略矩形の外形を有するレンズ保持部材２の角部の１つに検出用磁石８を配置できる。また、レンズ駆動装置１０１は、レンズ保持部材２の角部の別の１つにバランス用磁石９を配置できる。そのため、レンズ駆動装置１０１は、レンズ保持部材２のＹ軸方向の寸法を小さくでき、ひいては装置全体の小型化を実現できる。
【０１３５】
第１磁界発生部材５Ａは、望ましくは、図１８Ｂに示すように、レンズ保持部材２と対向する内側（Ｘ２側）に第１内側部分（第１上側磁石５ＡＵのＸ２側の部分）を有する。そして、第２磁界発生部材５Ｂは、レンズ保持部材２と対向する内側（Ｘ１側）に第２内側部分（第２上側磁石５ＢＵのＸ１側の部分）を有する。
【０１３６】
この場合、検出用磁石８は、光軸方向と直交する方向において第１磁界発生部材５Ａに対向するように対応して配置されるとともに、光軸方向の一方側（Ｚ１側）である第５部分（上側部分）と他方側（Ｚ２側）である第６部分（下側部分）とが異なる磁極を有するように構成される。
【０１３７】
また、バランス用磁石９は、光軸方向と直交する方向において第２磁界発生部材５Ｂに対向するように対応して配置されるとともに、光軸方向の一方側（Ｚ１側）である第７部分（上側部分）と他方側（Ｚ２側）である第８部分（下側部分）とが異なる磁極を有するように構成される。
【０１３８】
そして、レンズ駆動装置１０１は、第１内側部分と第５部分との間、及び、第２内側部分と第７部分との間に引力が作用するように構成される。或いは、レンズ駆動装置１０１は、第１内側部分と第５部分との間、及び、第２内側部分と第７部分との間に斥力が作用するように構成される。
【０１３９】
例えば、図１８Ｂに示すように、レンズ駆動装置１０１は、第１上側磁石５ＡＵのＸ２側の部分（Ｓ極部分）と検出用磁石８の上側部分（Ｎ極部分）との間、及び、第２上側磁石５ＢＵのＸ１側の部分（Ｎ極部分）とバランス用磁石９の上側部分（Ｓ極部分）との間に引力が作用するように構成される。
【０１４０】
この構成により、レンズ駆動装置１０１は、第１上側磁石５ＡＵと検出用磁石８との間で引力を発生させ、且つ、第２上側磁石５ＢＵとバランス用磁石９との間で引力を発生させることができる。そのため、レンズ駆動装置１０１は、レンズ保持部材２の姿勢を安定させることができる。
【０１４１】
第１磁界発生部材５Ａは、図１６Ｂに示すように、レンズ保持部材２と対向する内側（Ｘ２側）において、光軸方向の一方側（Ｚ１側）である第１内側部分（第１上側磁石５ＡＵのＸ２側の部分）と他方側（Ｚ２側）である第３内側部分（第１下側磁石５ＡＬのＸ２側の部分）とを有するように構成されていてもよい。また、第２磁界発生部材５Ｂは、レンズ保持部材２と対向する内側（Ｘ１側）において、光軸方向の一方側である第２内側部分（第２上側磁石５ＢＵのＸ１側の部分）と他方側である第４内側部分（第２下側磁石５ＢＬのＸ１側の部分）とを有するように構成されていてもよい。
【０１４２】
そして、レンズ駆動装置１０１は、図１６Ｂに示すように、第１内側部分（第１上側磁石５ＡＵのＸ２側の部分）と第３内側部分（第１下側磁石５ＡＬのＸ２側の部分）とが異なる磁極を有し、且つ、第２内側部分（第２上側磁石５ＢＵのＸ１側の部分）と第４内側部分（第２下側磁石５ＢＬのＸ１側の部分）とが異なる磁極を有するように構成されていてもよい。
【０１４３】
この場合、レンズ駆動装置１０１は、望ましくは、第１内側部分と第５部分との間、第３内側部分と第６部分との間、第２内側部分と第７部分との間、及び、第４内側部分と第８部分との間に引力が作用するように構成される。或いは、レンズ駆動装置１０１は、望ましくは、第１内側部分と第５部分との間、第３内側部分と第６部分との間、第２内側部分と第７部分との間、及び、第４内側部分と第８部分との間に斥力が作用するように構成される。
【０１４４】
例えば、図１６Ｂに示すように、レンズ駆動装置１０１は、第１上側磁石５ＡＵのＸ２側の部分（Ｓ極部分）と検出用磁石８の上側部分（Ｓ極部分）との間、第１下側磁石５ＡＬのＸ２側の部分（Ｎ極部分）と検出用磁石８の下側部分（Ｎ極部分）との間、第２上側磁石５ＢＵのＸ１側の部分（Ｎ極部分）とバランス用磁石９の上側部分（Ｎ極部分）との間、及び、第２下側磁石５ＢＬのＸ１側の部分（Ｓ極部分）とバランス用磁石９の下側部分（Ｓ極部分）との間に斥力が作用するように構成されてもよい。
【０１４５】
この構成により、レンズ駆動装置１０１は、第１上側磁石５ＡＵ及び第１下側磁石５ＡＬと検出用磁石８との間で斥力を発生させ、且つ、第２上側磁石５ＢＵ及び第２下側磁石５ＢＬとバランス用磁石９との間で斥力を発生させることができる。そのため、レンズ駆動装置１０１は、レンズ保持部材２を両側から押すことができるため、一方の側で引っ張り他方の側で押す場合に比べ、レンズ保持部材２の姿勢を安定させることができる。すなわち、レンズ駆動装置１０１は、レンズ保持部材２の中心軸（レンズ体の光軸ＪＤ）がずれたり、Ｚ軸に対して傾いたりしてしまうのを抑制或いは防止できる。
【０１４６】
或いは、図１７Ｂに示すように、レンズ駆動装置１０１は、第１上側磁石５ＡＵのＸ２側の部分（Ｓ極部分）と検出用磁石８の上側部分（Ｎ極部分）との間、第１下側磁石５ＡＬのＸ２側の部分（Ｎ極部分）と検出用磁石８の下側部分（Ｓ極部分）との間、第２上側磁石５ＢＵのＸ１側の部分（Ｎ極部分）とバランス用磁石９の上側部分（Ｓ極部分）との間、及び、第２下側磁石５ＢＬのＸ１側の部分（Ｓ極部分）とバランス用磁石９の下側部分（Ｎ極部分）との間に引力が作用するように構成されてもよい。
【０１４７】
この構成により、レンズ駆動装置１０１は、第１上側磁石５ＡＵ及び第１下側磁石５ＡＬと検出用磁石８との間で引力を発生させ、且つ、第２上側磁石５ＢＵ及び第２下側磁石５ＢＬとバランス用磁石９との間で引力を発生させることができる。そのため、レンズ駆動装置１０１は、レンズ保持部材２を両側から引っ張ることができるため、一方の側で引っ張り他方の側で押す場合に比べ、レンズ保持部材２の姿勢を安定させることができる。すなわち、レンズ駆動装置１０１は、レンズ保持部材２の中心軸（レンズ体の光軸ＪＤ）がずれたり、Ｚ軸に対して傾いたりしてしまうのを抑制或いは防止できる。
【０１４８】
レンズ駆動装置１０１は、望ましくは、検出用磁石８と第１磁界発生部材５Ａとの間に引力が作用しているとともに、バランス用磁石９と第２磁界発生部材５Ｂとの間に引力が作用している状態をもたらすように構成される。
【０１４９】
この構成により、レンズ駆動装置１０１は、斥力が作用している場合に比べ、レンズ保持部材２の姿勢を更に安定させることができる。レンズ保持部材２の両側で斥力が作用する場合、それら２つの斥力は、レンズ保持部材２の両側で引力が作用する場合に比べ、レンズ保持部材２を横方向（光軸ＪＤに垂直な方向）に移動させてしまい易いためである。すなわち、レンズ保持部材２の両側で引力が作用する場合には、レンズ保持部材２の両側で斥力が作用する場合に比べ、レンズ保持部材２の横方向への移動は、下側板ばね２６の横剛性によって抑制され易いためである。
【０１５０】
レンズ駆動装置１０１は、例えば、第１内側部分（第１上側磁石５ＡＵのＸ２側の部分）の磁極と第２内側部分（第２上側磁石５ＢＵのＸ１側の部分）の磁極が互いに異極で、且つ、第５部分（検出用磁石８の上側部分）の磁極と第７部分（バランス用磁石９の上側部分）の磁極とが互いに異極となるように構成されていてもよい。
【０１５１】
具体的には、レンズ駆動装置１０１は、例えば図１６Ｂに示すように、第１上側磁石５ＡＵのＸ２側の部分の磁極（Ｓ極）と第２上側磁石５ＢＵのＸ１側の部分の磁極（Ｎ極）が互いに異極で、且つ、検出用磁石８の上側部分の磁極（Ｓ極）とバランス用磁石９の上側部分の磁極（Ｎ極）とが互いに異極となるように構成されていてもよい。
【０１５２】
コイル３は、望ましくは図５Ｂに示すように、レンズ保持部材２の互いに対向する２つの外側面に配置され、光軸方向と直交する方向に突出する巻き付け突起１２ｐの周囲に巻回された２つの巻回部１３を有する。そして、図１６Ａに示すように、２つの巻回部１３のうちの一方は、第１磁界発生部材５Ａに対向し、他方は第２磁界発生部材５Ｂに対向している。
【０１５３】
この場合、第１磁界発生部材５Ａは、光軸方向と直交する方向において第１内側部分（第１上側磁石５ＡＵのＸ２側の部分）の外側に配置される第１外側部分（第１上側磁石５ＡＵのＸ１側の部分）と、光軸方向と直交する方向において第３内側部分（第１下側磁石５ＡＬのＸ２側の部分）の外側に配置される第３外側部分（第１下側磁石５ＡＬのＸ１側の部分）とを有する。第２磁界発生部材５Ｂは、光軸方向と直交する方向において第２内側部分（第２上側磁石５ＢＵのＸ１側の部分）の外側に配置される第２外側部分（第２上側磁石５ＢＵのＸ２側の部分）と、光軸方向と直交する方向において第４内側部分（第２下側磁石５ＢＬのＸ１側の部分）の外側に配置される第４外側部分（第２下側磁石５ＢＬのＸ２側の部分）とを有する。
【０１５４】
そして、第１内側部分と第１外側部分は、第１磁石（第１上側磁石５ＡＵ）で構成され、異なる磁極を有し、第２内側部分と第２外側部分は、第２磁石（第２上側磁石５ＢＵ）で構成され、異なる磁極を有し、第３内側部分と第３外側部分は、第３磁石（第１下側磁石５ＡＬ）で構成され、異なる磁極を有し、第４内側部分と第４外側部分は、第４磁石（第２下側磁石５ＢＬ）で構成され、異なる磁極を有する。
【０１５５】
そして、第１磁石（第１上側磁石５ＡＵ）と第３磁石（第１下側磁石５ＡＬ）は、光軸方向において上下に重ねられ、第２磁石（第２上側磁石５ＢＵ）と第４磁石（第２下側磁石５ＢＬ）も、光軸方向において上下に重ねられている。
【０１５６】
この構成により、第１磁界発生部材５Ａは、１つの四極磁石で構成される場合に比べ、磁力を高めることができる。第２磁界発生部材５Ｂについても同様である。
【０１５７】
検出用磁石８は、望ましくは、光軸方向において、第１磁界発生部材５Ａの一端と他端との間に配置されている。また、バランス用磁石９は、光軸方向において、第２磁界発生部材５Ｂの一端と他端との間に配置されている。例えば、図１６Ｂに示すように、検出用磁石８は、その上下幅Ｈ１が第１磁界発生部材５Ａの上下幅Ｈ３内に収まるように構成されている。バランス用磁石９についても同様である。
【０１５８】
この構成により、レンズ駆動装置１０１は、光軸方向に垂直な方向におけるレンズ保持部材２の両側に作用する磁力のバランスをとりやすい。また、レンズ駆動装置１０１は、光軸方向における装置全体の上下幅を低減させることができる。
【０１５９】
コイル３は、望ましくは、コイル３の一端部を構成する第１延在部３３Ａと他端部を構成する第２延在部３３Ｂとを有する。この場合、レンズ保持部材２は、第１延在部３３Ａを保持する第１保持部７２Ａと第２延在部３３Ｂを保持する第２保持部７２Ｂとを有する。
【０１６０】
第１延在部３３Ａは、例えば図１０Ａに示すように、第１接合材ＡＤ１（導電性接着剤又は半田）を用いて下側板ばね２６Ａに接続され、第２延在部３３Ｂは、第２接合材ＡＤ２（導電性接着剤又は半田）を用いて下側板ばね２６Ｂに接続されている。
【０１６１】
そして、第１磁界発生部材５Ａは、第１側板部４Ａ１に固定され、第２磁界発生部材５Ｂは、第２側板部４Ａ２に固定されている。
【０１６２】
この場合、検出用磁石８は、図１０Ａに示すように、第１仮想線ＶＬ１を挟んで第２保持部７２Ｂ及び第２接合材ＡＤ２が位置する側の反対側に配置され、且つ、第２仮想線ＶＬ２を挟んで第１保持部７２Ａ及び第１接合材ＡＤ１が位置する側の反対側に配置されている。また、バランス用磁石９は、第１仮想線ＶＬ１を挟んで第１保持部７２Ａ及び第１接合材ＡＤ１が位置する側の反対側に配置され、且つ、第２仮想線ＶＬ２を挟んで第２保持部７２Ｂ及び第２接合材ＡＤ２が位置する側の反対側に配置されている。なお、第１仮想線ＶＬ１は、第１側板部４Ａ１及び第２側板部４Ａ２に略平行で且つ光軸ＪＤを通る光軸ＪＤに略垂直な仮想線である。第２仮想線ＶＬ２は、第１仮想線ＶＬ１と直交し且つ光軸ＪＤを通る光軸ＪＤに略垂直な仮想線である。なお、図１０Ａは、レンズ保持部材の上側（Ｚ１側）に存在するために実際には不可視である検出用磁石８及びバランス用磁石９の位置を破線及びドットハッチングで示している。
【０１６３】
この構成により、レンズ駆動装置１０１は、検出用磁石８、バランス用磁石９、第１接合材ＡＤ１、及び第２接合材ＡＤ２が光軸ＪＤに関してバランス良く配置された状態を実現できる。
【０１６４】
レンズ駆動装置１０１の筐体は、望ましくは、図１及び図２Ａに示すように、外周壁部４Ａ及び上板部４Ｂが形成されたカバー部材としてのヨーク４と、上板部４Ｂに対向するベース部材１８とを備えている。そして、ベース部材１８には、図１５Ａ〜図１５Ｄに示すように、下側板ばね２６Ａを介してコイル３の一端部に電気的に接続される第１金属部材７Ａと、下側板ばね２６Ｂを介してコイル３の他端部に電気的に接続される第２金属部材７Ｂとが埋設されている。
【０１６５】
また、図２Ｂに示すようにベース部材１８の外周側面から露出する第１金属部材７Ａの接続部７ＡＣは、磁気検出部材１１が搭載されたフレキシブルプリント基板１０に形成された２つの導電部１０Ｃのうちの一方である第１導電部１０Ｃ１に対向した状態で、導電性接合材ＡＤによって第１導電部１０Ｃ１に接続されている。同様に、ベース部材１８の外周側面から露出する第２金属部材７Ｂの接続部７ＢＣは、２つの導電部１０Ｃのうちの他方である第２導電部１０Ｃ２に対向した状態で、導電性接合材ＡＤによって第２導電部１０Ｃ２に接続されている。
【０１６６】
この構成により、レンズ駆動装置１０１は、接続部７ＡＣにおける光軸方向に拡がる面と、第１導電部１０Ｃ１における光軸方向に拡がる面とを接触させることができるため、接続部７ＡＣと第１導電部１０Ｃ１との接触面積を大きくすることができる。また、レンズ駆動装置１０１は、接続部７ＡＣにおけるメッキが施された面を、第１導電部１０Ｃ１における光軸方向に拡がる面に容易に接触させることができる。
【０１６７】
また、レンズ駆動装置１０１は、例えば、フレキシブルプリント基板１０に形成された孔に下側板ばね２６の一部を挿入することでフレキシブルプリント基板１０と下側板ばね２６との電気的接続が実現される構成に比べ、生産性（組み立て性）を高めることができる。例えば図２０Ａ及び図２０Ｂに示すようなレンズ駆動装置１０１の組み立て方法、すなわち、フレキシブルプリント基板１０を第４側板部４Ａ４の内壁とスペーサ部材１における突出部ＰＢの外壁ＥＷとの間に差し込む工程を含む組み立て方法にも対応可能となるためである。
【０１６８】
本実施形態では、ヨーク４の外周壁部４Ａは、互いに対向する第１側板部４Ａ１及び第２側板部４Ａ２と略垂直な互いに対向する第３側板部４Ａ３及び第４側板部４Ａ４を有する。そして、ヨーク４の上板部４Ｂの内側には、図１９に示すような、枠状部ＦＲを有するスペーサ部材１が配置されている。枠状部ＦＲにおける、第４側板部４Ａ４と対向する部分である第４辺部ＦＲ４には、フレキシブルプリント基板１０と係合可能な係合部ＥＧと、上板部４Ｂから離れるにつれて第４側板部４Ａ４との間隔（隙間、距離）が大きくなるテーパ部ＴＰとが形成されている。この構成では、フレキシブルプリント基板１０は、係合部ＥＧによって位置決めされるとともに、第４側板部４Ａ４とテーパ部ＴＰとの間に挟まれた状態で、第４側板部４Ａ４に固定される。
【０１６９】
この構成により、レンズ駆動装置１０１は、スペーサ部材１のテーパ部ＴＰによって、フレキシブルプリント基板１０を確実に第４側板部４Ａ４とテーパ部ＴＰとの間に配置することができ、且つ、係合部ＥＧによってフレキシブルプリント基板１０を位置決めできる。そのため、検出用磁石８及び磁気検出部材１１のそれぞれの位置のバラツキ、並びに、検出用磁石８と磁気検出部材１１との間の距離のバラツキを抑制し、磁気検出部材１１（ホール素子）の検出精度を高めることができる。
【０１７０】
本実施形態では、図１９に示すように、枠状部ＦＲにおける、第１側板部４Ａ１に対向する部分である第１辺部ＦＲ１には、互いに離間した一対の第１突出部ＰＲ１が上板部４Ｂから離れる方向へ突出するように形成されている。また、枠状部ＦＲにおける、第２側板部４Ａ２に対向する部分である第２辺部ＦＲ２にも、互いに離間した一対の第２突出部ＰＲ２が上板部４Ｂから離れる方向へ突出するように形成されている。そして、一対の第１突出部ＰＲ１の間には、第１磁界発生部材５Ａが配置され、一対の第２突出部ＰＲ２の間には、第２磁界発生部材５Ｂが配置されている。
【０１７１】
この構成により、レンズ駆動装置１０１は、第１磁界発生部材５Ａが複数の磁石で構成される場合であっても、一対の第１突出部ＰＲ１で第１磁界発生部材５Ａを適切に位置決めできる。
【０１７２】
以上、本発明の好ましい実施形態について詳説した。しかしながら、本発明は、上述した実施形態に限定されることはない。上述した実施形態は、本発明の範囲を逸脱することなしに、種々の変形及び置換が適用され得る。また、上述の実施形態を参照して説明された特徴のそれぞれは、技術的に矛盾しない限り、適宜に組み合わされてもよい。
【０１７３】
例えば、自動焦点調節機能を実現する上記実施形態では、下側板ばね２６Ａと第１延在部３３Ａとが電気的に接続され、且つ、下側板ばね２６Ｂと第２延在部３３Ｂとが電気的に接続される構成としたが、本発明は、この構成に限定されない。本発明は、例えば、手振れ補正機能付きのレンズ駆動装置においては、上側板ばね１６が２つに分割され、その一方が第１延在部３３Ａに電気的に接続され、且つ、他方が第２延在部３３Ｂに電気的に接続される構成を含んでいてもよい。この構成では、上側板ばね１６は、支持部材としての磁石ホルダとレンズ保持部材２とを繋ぐように配置され、且つ、レンズ保持部材２を光軸方向へ移動可能に支持するように構成される。磁石ホルダは、レンズ保持部材２に保持されたコイル３に対向する磁界発生部材５を保持する部材であり、典型的には、サスペンションワイヤを介してベース部材１８に接続され、サスペンションワイヤにより、光軸方向に垂直な方向に移動可能に支持されている。具体的には、磁石ホルダは、磁界発生部材５と、磁界発生部材５に対向するようにベース部材１８上に設置された、コイル３とは別のコイルとによって構成される駆動機構によって光軸方向に垂直な方向に移動できるように構成されている。この場合、突出部としての保持部７２は、上側板ばね１６が配置される側であるレンズ保持部材２の上端部に設けられていてもよい。また、磁気検出部材１１は、磁石ホルダに保持されるのが好ましい。
【０１７４】
また、上記実施形態では、コイル３は、レンズ保持部材２の４つの側面のうちの２つのそれぞれに保持される、光軸方向に垂直なコイル軸を有する２つの小判形（オーバル形状）のコイルで構成されている。しかしながら、本発明はこの構成に限定されない。コイル３は、光軸方向に延びるコイル軸を有するようにレンズ保持部材２の周囲に巻かれた環状のコイルであってもよい。
【０１７５】
また、上記実施形態では、第１磁界発生部材５Ａは、光軸ＪＤに垂直な方向に着磁された、第１上側磁石５ＡＵと第１下側磁石５ＡＬとの組み合わせで構成されているが、光軸方向に沿って着磁された１つの二極磁石で構成されていてもよい。この場合、この二極磁石の上側部分は、第１上側磁石５ＡＵの内側部分に対応し、その下側部分は第１下側磁石５ＡＬの内側部分に対応する。第２磁界発生部材５Ｂについても同様である。
【０１７６】
また、上記実施形態では、検出用磁石８及びバランス用磁石９は、磁極の配置（着磁方向）が光軸方向である上下方向で互いに逆となるように取り付けられているが、光軸方向である上下方向で互いに同じとなるように取り付けられていてもよい。この場合には、例えば、第２コイル３Ｂの巻回部１３の巻回方向は、上記実施形態における巻回方向とは逆の方向とされ、且つ、第２磁界発生部材５Ｂの磁極の配置（着磁方向）は、上記実施形態における磁極の配置（着磁方向）とは逆の配置とされる。
【０１７７】
また、上記実施形態では、磁気検出部材１１は、ホール素子とドライバＩＣとを内蔵した電子部品で構成されているが、ドライバＩＣを含まずに、ホール素子又は磁気抵抗効果素子等の磁気検出素子で構成されていてもよい。この場合には、磁気検出素子は、レンズ駆動装置１０１の外部にある制御部に向けて検出信号を出力する。そして、制御部は、検出信号に基づき、制御部からコイル３に供給される電流を制御する。
【０１７８】
本願は、２０１８年１２月１４日に出願した日本国特許出願２０１８−２３４４３０号に基づく優先権を主張するものであり、この日本国特許出願の全内容を本願に参照により援用する。
【符号の説明】
【０１７９】
１・・・スペーサ部材  ２・・・レンズ保持部材  ２ｔ・・・突設部  ３・・・コイル  ３Ａ・・・第１コイル  ３Ｂ・・・第２コイル  ３Ｃ・・・連結部  ４・・・ヨーク  ４Ａ・・・外周壁部  ４Ａ１・・・第１側板部  ４Ａ２・・・第２側板部  ４Ａ３・・・第３側板部  ４Ａ４・・・第４側板部  ４Ｂ・・・上板部  ４ｓ・・・収納部  ５・・・磁界発生部材  ５Ａ・・・第１磁界発生部材  ５ＡＵ・・・第１上側磁石  ５ＡＬ・・・第１下側磁石  ５Ｂ・・・第２磁界発生部材  ５ＢＵ・・・第２上側磁石  ５ＢＬ・・・第２下側磁石  ６・・・板ばね  ７・・・金属部材  ７Ａ・・・第１金属部材  ７ＡＣ・・・接続部  ７ＡＰ・・・接触部  ７Ｂ・・・第２金属部材  ７ＢＣ・・・接続部  ７ＢＰ・・・接触部  ７Ｃ・・・第３金属部材  ７ＣＲ・・・端部  ７ＣＴ・・・突出部  ７Ｄ・・・第４金属部材  ７ＤＲ・・・端部  ７Ｅ・・・第５金属部材  ７ＥＲ１、７ＥＲ２・・・端部  ８・・・検出用磁石  ９・・・バランス用磁石  １０・・・フレキシブルプリント基板  １０Ｃ・・・導電部  １０Ｃ１・・・第１導電部  １０Ｃ２・・・第２導電部  １０Ｌ１・・・内側パターン層  １０Ｌ２・・・外側パターン層  １０Ｒ・・・被係合部  １１・・・磁気検出部材  １２・・・筒状部  １２ｄ・・・台座部  １２ｄｈ・・・窪み  １２ｐ・・・巻き付け突起  １２ｐＡ・・・第１巻き付け突起  １２ｐＢ・・・第２巻き付け突起  １３・・・巻回部  １４・・・コンデンサ  １６・・・上側板ばね  １６ｂ・・・角部分  １６ｅ・・・外側部分  １６ｇ・・・弾性腕部  １６ｉ・・・内側部分  １６ｒ・・・桟部  １８・・・ベース部材  １８ｋ・・・開口  １８ｔ・・・突設部  ２６、２６Ａ、２６Ｂ・・・下側板ばね  ２６ｃ・・・内側接合部分  ２６ｄ・・・外側接合部分  ２６ｅ・・・外側部分  ２６ｇ・・・弾性腕部  ２６ｈ・・・接続板部  ２６ｉ・・・内側部分  ２６ｐ・・・第１連結部  ２６ｑ・・・第２連結部  ３３・・・延在部  ３３Ａ・・・第１延在部  ３３Ｂ・・・第２延在部  ３３ｃ・・・第１対向部  ３３ｋ・・・第２対向部  ３３ｍ・・・巻き付け部  ７２・・・保持部  ７２Ａ・・・第１保持部  ７２Ｂ・・・第２保持部  ８２・・・突堤部  ８２ｓ・・・収容部  ８２ｕ・・・内側壁部  ８２ｖ・・・外側壁部  ８２ｗ・・・側壁部  ８２ｚ・・・開放部  １０１・・・レンズ駆動装置  ＡＤ・・・導電性接合材  ＡＤ１・・・第１接合材  ＡＤ２・・・第２接合材  ＢＳ・・・下面  ＣＡ・・・導電性接着剤  ＥＧ・・・係合部  ＥＷ・・・外壁  ＦＲ・・・枠状部  ＦＲ１・・・第１辺部  ＦＲ２・・・第２辺部  ＦＲ３・・・第３辺部  ＦＲ４・・・第４辺部  ＬＤ１・・・第１ランド部  ＬＤ２・・・第２ランド部  ＬＤ３・・・第３ランド部  ＬＤ４・・・第４ランド部  ＬＤ５・・・第５ランド部  ＬＤ６・・・第６ランド部  ＬＤ７・・・第７ランド部  ＬＤ８・・・第８ランド部  ＭＫ・・・駆動機構  ＰＢ・・・突出部  ＰＲ・・・突出部  ＰＲ１・・・第１突出部  ＰＲ２・・・第２突出部  ＰＴ１・・・第１パターン部  ＰＴ２・・・第２パターン部  ＰＴ３・・・第３パターン部  ＰＴ４・・・第４パターン部  ＲＧ・・・固定側部材  Ｔ１・・・第１端子部  Ｔ２・・・第２端子部  Ｔ３・・・第３端子部  Ｔ４・・・第４端子部  ＴＰ・・・テーパ部  Ｖ１〜Ｖ９・・・ビアホール  ＶＬ１・・・第１仮想線  ＶＬ２・・・第２仮想線
【図１】
2020122126.tif 000003
【図２Ａ】
2020122126.tif 000004
【図２Ｂ】
2020122126.tif 000005
【図３Ａ】
2020122126.tif 000006
【図３Ｂ】
2020122126.tif 000007
【図４Ａ】
2020122126.tif 000008
【図４Ｂ】
2020122126.tif 000009
【図５Ａ】
2020122126.tif 000010
【図５Ｂ】
2020122126.tif 000011
【図６Ａ】
2020122126.tif 000012
【図６Ｂ】
2020122126.tif 000013
【図７Ａ】
2020122126.tif 000014
【図７Ｂ】
2020122126.tif 000015
【図８Ａ】
2020122126.tif 000016
【図８Ｂ】
2020122126.tif 000017
【図９Ａ】
2020122126.tif 000018
【図９Ｂ】
2020122126.tif 000019
【図１０Ａ】
2020122126.tif 000020
【図１０Ｂ】
2020122126.tif 000021
【図１１Ａ】
2020122126.tif 000022
【図１１Ｂ】
2020122126.tif 000023
【図１２Ａ】
2020122126.tif 000024
【図１２Ｂ】
2020122126.tif 000025
【図１３】
2020122126.tif 000026
【図１４Ａ】
2020122126.tif 000027
【図１４Ｂ】
2020122126.tif 000028
【図１５Ａ】
2020122126.tif 000029
【図１５Ｂ】
2020122126.tif 000030
【図１５Ｃ】
2020122126.tif 000031
【図１５Ｄ】
2020122126.tif 000032
【図１６Ａ】
2020122126.tif 000033
【図１６Ｂ】
2020122126.tif 000034
【図１６Ｃ】
2020122126.tif 000035
【図１６Ｄ】
2020122126.tif 000036
【図１７Ａ】
2020122126.tif 000037
【図１７Ｂ】
2020122126.tif 000038
【図１７Ｃ】
2020122126.tif 000039
【図１７Ｄ】
2020122126.tif 000040
【図１８Ａ】
2020122126.tif 000041
【図１８Ｂ】
2020122126.tif 000042
【図１８Ｃ】
2020122126.tif 000043
【図１８Ｄ】
2020122126.tif 000044
【図１９】
2020122126.tif 000045
【図２０Ａ】
2020122126.tif 000046
【図２０Ｂ】
2020122126.tif 000047
【国際調査報告】
2020122126.tif 000048
2020122126.tif 000049
2020122126.tif 000050
2020122126.tif 000051